(57)【要約】  建物の建設用のモジュール式建物ユニットが、建物の建設において別のモジュール式建物ユニットへの相互接続に好適な構造フレーム４０と、フレームの内部にあるとともに当該フレームに固定されたスタッドフレーム壁８０／８２とを備える。このモジュール式建物ユニットは、移送用の輸送コンテナーとして取り扱うのに好適である。【選択図】図３
2015525839.tif 000002
【特許請求の範囲】
【請求項１】
建物の建設用のモジュール式建物ユニットであって、
前記建物の建設において別のモジュール式建物ユニットへの相互接続に好適な構造フレームを備え、
該モジュール式建物ユニットは、移送用の輸送コンテナーとして取り扱うのに好適であり、
該建物ユニットは、前記フレームの内部にあるとともに前記フレームに固定されたスタッドフレームパネルを更に備え、前記フレーム及び前記パネルは、組み合わさって荷重支持を行う、建物の建設用のモジュール式建物ユニット。
【請求項２】
前記建物ユニットは、前記フレームの内部にあるが、前記フレームの外部に対して開放することができるベランダデッキを備える、請求項１に記載のモジュール式建物ユニット。
【請求項３】
前記建物ユニットは、前記フレームの内部にある建物内部サービス進入路の一部分を更に備える、請求項１に記載のモジュール式建物ユニット。
【請求項４】
前記建物ユニットは、前記フレームの各側面及び各端面に取り付けられた耐候性取り外し可能外部パネルを更に備える、請求項１〜３のいずれか１項に記載のモジュール式建物ユニット。
【請求項５】
前記外部パネルと前記スタッドフレームパネルとの間にエアギャップが設けられている、請求項１〜４のいずれか１項に記載のモジュール式建物ユニット。
【請求項６】
建物の建設用のモジュール式建物ユニットであって、
前記建物の建設において別のモジュール式建物ユニットへの相互接続に好適な構造フレームを備え、
該モジュール式建物ユニットは、移送用の輸送コンテナーとして取り扱うのに好適であり、
該建物ユニットは、前記フレームの内部にあるが、前記フレームの外部に対して開放することができるベランダデッキを備える、建物の建設用のモジュール式建物ユニット。
【請求項７】
前記ベランダデッキは、厳しい天候状況の間、前記ベランダデッキを閉鎖するためのシャッターを備える、請求項６に記載のモジュール式建物ユニット。
【請求項８】
前記ベランダデッキは、使用時に隣接する建物ユニットのベランダデッキに対して開放されている、請求項６又は７に記載のモジュール式建物ユニット。
【請求項９】
建物の建設用のモジュール式建物ユニットであって、
前記建物の建設において別のモジュール式建物ユニットへの相互接続に好適な構造フレームを備え、
該モジュール式建物ユニットは、移送用の輸送コンテナーとして取り扱うのに好適であり、
該建物ユニットは、前記フレームの内部にある建物内部サービス進入路の一部分を更に備える、建物の建設用のモジュール式建物ユニット。
【請求項１０】
前記建物内部サービス進入路は、移送用の取り外し可能パネルによって覆われている、請求項９に記載のモジュール式建物ユニット。一実施形態では、前記建物内部サービス進入路は、前記取り外し可能パネルが取り外されたときに、前記フレームの外部に対して開放されている。
【請求項１１】
前記建物内部サービス進入路は、建物内部サービス進入路の補完的な第２の部分を有する別の建物モジュールが前記第１の部分に隣接して配置されたときに、それらが建物内部サービス進入路の組み合わさった部分を画定するように配置されている、請求項９又は１０に記載のモジュール式建物ユニット。
【請求項１２】
建物の建設用のモジュール式建物ユニットであって、
前記建物の建設において別のモジュール式建物ユニットへの相互接続に好適な構造フレームと、
前記フレームの各側面及び各端面に取り付けられた耐候性取り外し可能外部パネルと、
を備え、
該モジュール式建物ユニットは、移送用の輸送コンテナーとして取り扱うのに好適である、建物の建設用のモジュール式建物ユニット。
【請求項１３】
前記外部パネルは、荷重支持を前記フレームに提供する、請求項１２に記載のモジュール式建物ユニット。
【請求項１４】
前記建物ユニットは、前記フレームの内部にあるとともに該フレームに固定されたスタッドフレームパネルを備え、前記フレーム及び前記パネルは、組み合わさって荷重支持を行う、請求項６〜１３のいずれか１項に記載のモジュール式建物ユニット。
【請求項１５】
前記建物ユニットは、地面支持体又は別の建物ユニットへの取り付け用に前記フレームの底部にわたって横方向に延在するとともに前記フレームの端部から内方に離間した複数の梁を更に備える、請求項１〜１４のいずれか１項に記載のモジュール式建物ユニット。
【請求項１６】
前記建物ユニットは、前記フレームの側面上に１つ又は複数の取り外し可能な垂直支持体を更に備える、請求項１〜１５のいずれか１項に記載のモジュール式建物ユニット。
【請求項１７】
前記建物ユニットは、前記フレームの上面の内部に取り付けられた構造パネルを更に備える、請求項１〜１６のいずれか１項に記載のモジュール式建物ユニット。
【請求項１８】
前記建物ユニットは、前記建物における別の建物ユニットへの移動を可能にするための開口を側面又は端面に更に備える、請求項１〜１７のいずれか１項に記載のモジュール式建物ユニット。
【請求項１９】
前記建物ユニットは２．４ｍ〜６ｍの幅である、請求項１〜１８のいずれか１項に記載のモジュール式建物ユニット。
【請求項２０】
前記建物ユニットは６ｍ（２０フィート）の長さである、請求項１〜１９のいずれか１項に記載のモジュール式建物ユニット。
【請求項２１】
前記建物ユニットは３．２ｍ〜３．５ｍの高さである、請求項１〜２０のいずれか１項に記載のモジュール式建物ユニット。
【請求項２２】
前記建物ユニットは６．４ｍ〜７ｍの高さである、請求項１〜２１のいずれか１項に記載のモジュール式建物ユニット。
【請求項２３】
前記建物ユニットは、構造変更することなく前記建物に組み立てることができるように構成されている、請求項１〜２２のいずれか１項に記載のモジュール式建物ユニット。
【請求項２４】
前記建物ユニットは、移送用に積重可能であり、前記建物において積重することができる、請求項１〜２３のいずれか１項に記載のモジュール式建物ユニット。
【請求項２５】
前記建物ユニットは、該建物ユニットが建物に形成されるとき、該建物ユニットの上方に配置される屋根の一部分を備える、請求項１〜２４のいずれか１項に記載のモジュール式建物ユニット。
【請求項２６】
本発明によれば、建物の建設用のモジュール式建物ユニットが提供され、該モジュール式建物ユニットは、前記建物の建設において別のモジュール式建物ユニットへの相互接続に好適な構造フレームを備え、該建物ユニットの壁は、
前記フレームの内部にあり、該フレームの面と平行であるように該フレームに固定された第１の構造パネルと、
第２の構造パネルであって、前記第１の構造パネルに対して平行であるとともに、前記第１の構造パネルと該第２の構造パネルとの間にエアギャップが設けられるように前記第１の構造パネルから離間するように前記フレームに固定された、第２の構造パネルと、
を備え、該モジュール式建物ユニットは移送可能である。
【請求項２７】
建物の建設用のモジュール式建物ユニットであって、
矩形フレームと、
基礎又は別の建物ユニットに取り付けるための、前記フレームの底部にわたって前記フレームの端部間に横方向に延在する複数の梁と、
を備える、建物の建設用のモジュール式建物ユニット。
【請求項２８】
複数の同様のモジュール式建物ユニットとともに建物を建設するモジュール式建物ユニットであって、
矩形フレームと、
移送用に側面及び／又は端面に取り付けられた取り外し可能外板と、
を備える、複数の同様のモジュール式建物ユニットとともに建物を建設するモジュール式建物ユニット。
【請求項２９】
複数の同様のモジュール式建物ユニットとともに建物を建設するモジュール式建物ユニットであって、
矩形フレームと、
前記フレームの側面上の１つ又は複数の取り外し可能な垂直支持体と、
を備える、複数の同様のモジュール式建物ユニットとともに建物を建設するモジュール式建物ユニット。
【請求項３０】
建物の建設用のモジュール式建物ユニットであって、
矩形構造フレームと、
前記フレームの側面及び／又は端面に取り付けられた外板と、
対応する面の内部断熱構造壁と、
を備える、建物の建設用のモジュール式建物ユニット。
【請求項３１】
建物の建設用のモジュール式建物ユニットであって、
矩形構造フレームと、
前記フレームの上面に取り付けられた外板と、
前記外板の下にある内部断熱天井と、
を備える、建物の建設用のモジュール式建物ユニット。
【請求項３２】
建物の建設用のモジュール式建物ユニットであって、
矩形構造フレームであって、該フレームの幅は、少なくとも２．６ｍである、矩形構造フレームと、
前記フレームの各面に取り付けられた外板と、
を備える、建物の建設用のモジュール式建物ユニット。
【請求項３３】
前記構造壁パネルは、前記フレームの内部に固定され、前記フレーム、パネル、及び／又は前記外板は、前記建物ユニットを、該建物ユニットの上に他の建物ユニットが積重されるように構成し、前記フレームは、特大の輸送コンテナーとして取り扱うのに好適である、請求項３２に記載のモジュール式建物ユニット。
【請求項３４】
複数のモジュール式建物ユニットを備える建物であって、各モジュール式建物ユニットは、
矩形フレームと、
以下のもの、すなわち、
基礎又は別の建物ユニットに取り付けるための、前記フレームの底部にわたって前記フレームの端部間に横方向に延在する複数の梁と、
移送用に側面及び／又は端面に取り付けられた取り外し可能外板と、
前記フレームの側面上の１つ又は複数の取り外し可能垂直支持体と、
前記フレームの側面及び／又は端面に取り付けられた外板、並びに１つ又は複数の対応する面の内部断熱壁と、
前記フレームの上面に取り付けられた外板、及び該外板の下にある内部断熱天井と、
前記フレームの各面に取り付けられた外板であって、該フレームの幅は、少なくとも２．６ｍである、外板と、
のうちの１つ又は複数と、
を備える、複数のモジュール式建物ユニットを備える建物。
【請求項３５】
建物であって、それぞれが請求項１〜３３のいずれか１項に記載のモジュール式建物ユニットである複数のモジュール式建物ユニットを備える、建物。
【請求項３６】
前記建物は、各建物ユニットの長手方向に横に並んだフレーム及び平行な隣接する背中合わせにされた内壁を備える、請求項３５に記載の建物。
【請求項３７】
前記建物は、少なくとも２つの隣接する建物ユニットの少なくとも２つの建物内部サービス進入路部分に形成された建物内部サービス進入路を備える、請求項３５又は３６に記載の建物。
【請求項３８】
建物を建設する方法であって、請求項１〜３３のいずれか１項に記載の複数の建物ユニットを準備することと、前記建物ユニットを互いに隣り合わせて配置することと、前記ユニットを互いに接続して単一の構造体にすることとを含む、建物を建設する方法。
【請求項３９】
前記建物ユニットは、端部と端部とを接続して配置される、請求項３８に記載の方法。
【請求項４０】
前記建物ユニットは、横並びに配置される、請求項３８及び３９に記載の方法。
【請求項４１】
前記建物ユニットは、積重される、請求項３８〜４０のいずれか１項に記載の方法。
【請求項４２】
建物を形成する方法であって、
モジュール式建物ユニットを建物に組み立てること、
を含み、各ユニットは、矩形フレームと、以下のもの、すなわち、
基礎又は別の建物ユニットに取り付けるための、前記フレームの底部にわたって横方向に延在する複数の梁と、
移送用に側面及び／又は端面に取り付けられた取り外し可能外板と、
前記フレームの側面上の１つ又は複数の取り外し可能垂直支持体と、
前記フレームの側面及び／又は端面に取り付けられた外板、並びに１つ又は複数の対応する面の内部断熱壁と、
前記フレームの上面に取り付けられた外板、及び該外板の下にある内部断熱天井と、
前記フレームの各面に取り付けられた外板であって、該フレームの幅は、少なくとも２．６ｍである、外板と、
のうちの１つ又は複数と、
を備える、建物を形成する方法。
【請求項４３】
複数のモジュール式建物ユニットを備える建物であって、各モジュール式建物ユニットは、
矩形フレームと、
地面支持体又は別の建物ユニットに取り付けるための、前記フレームの底部にわたって横方向に延在する複数の梁と、
を備え、前記フレーム又は前記横方向の梁のうちの１つ又は複数は、繊維強化ポリマー（ＦＲＰ）から形成されている、複数のモジュール式建物ユニットを備える建物。
【請求項４４】
建物モジュールであって、前記建物ユニットが建物に形成されるときに前記建物ユニットの上部に配置される屋根部分を備える、建物モジュール。
【請求項４５】
建物に用いられるパネルであって、ＦＲＰシートを構造体に固定するための取り付け箇所を有する該シートを含む、建物に用いられるパネル。
【発明の詳細な説明】
【技術分野】
【０００１】
本発明は、モジュール式ユニットから形成された建物に関する。
【背景技術】
【０００２】
海上コンテナーと呼ばれることがある、リサイクルされた複合一貫輸送コンテナーから形成される建物が知られている。しかしながら、それらの建物は、これらのコンテナーの使用に伴う本来的な制限に起因して、主流として採用されてこなかった。そのような建物は、現在、１つ又は複数の輸送コンテナー（一般に使用済のもの）を利用して、建物の設計に従った側壁及び／又は端壁又は端部扉の除去等によってそれらの輸送コンテナーを変更するという前提に基づいていると考えられる。
【０００３】
通常の輸送コンテナーは、８フィート幅（２．４４ｍ）、２０フィート（６．０６ｍ）長又は４０フィート（１２．１９ｍ）長、及び８フィート６インチ（２．５９ｍ）高の標準的な寸法を有する。代替的なタイプのハイキューブ（ＨＱ：High-cube）コンテナーは、９フィート６インチ（２．９ｍ）高である。１０フィート３インチ（３．１２ｍ）のコンテナーも知られている。これらのコンテナーは、船上で上下に積重されて運搬されるように設計され、８つのコーナーのそれぞれに鋳鋼を備える。これらのコーナーの対は、直方体鉄骨フレームの４つのコーナーポストのそれぞれの一方の端部に溶接されている。フレームには、一般に耐候性スチール若しくは耐候性アルミニウムの平板又は波形板から形成された側壁及び屋根が取り付けられ、少なくとも１つの端部にヒンジ付き観音開き扉を有する。
【０００４】
輸送コンテナーを建物に用いるには、窓、側面の入口、又は異なる形態の出入口を可能にするように建物での使用に適するために、側壁の切断又は除去等の広範囲の変更が必要とされる。さらに、それらの輸送コンテナーは、幅が２．４４ｍ、長さが６．０６ｍ又は１２．１９ｍに制限され、この制限によって、部屋のサイズも、これらの寸法内に適合するように更に制限される。
【発明の概要】
【発明が解決しようとする課題】
【０００５】
本発明がなされたのは、この背景によるものである。
【０００６】
従来技術の文書が引用されても、それは、いかなる法域においても当業者の共通の一般的知識の一部を成すものとみなされるべきではない。
【課題を解決するための手段】
【０００７】
本発明によれば、建物の建設用のモジュール式建物ユニットであって、
前記建物の建設において別のモジュール式建物ユニットへの相互接続に好適な構造フレームを備え、
該モジュール式建物ユニットは、移送用の輸送コンテナーとして取り扱うのに好適である、建物の建設用のモジュール式建物ユニットが提供される。
【０００８】
一実施形態では、前記建物ユニットは、前記フレームの内部にあるとともに前記フレームに固定されたスタッドフレームパネルを更に備え、前記フレーム及び前記パネルは、組み合わさって荷重支持を行う。
【０００９】
一実施形態では、前記構造フレームは、直方柱の形態である。
【００１０】
一実施形態では、前記構造フレームは、矩形部及び４つの脚を備える矩形テーブル形状の形態であり、各脚は、前記矩形部のコーナーのうちの１つから延びている。通常、前記矩形部は、前記建物ユニットの基部にあり、前記脚は、垂直に延びている。そのような場合、別の建物ユニットの構造フレームが前記コーナーにおいて前記脚の端部に接合した別の矩形部を有し、前記他の矩形部及び前記構造フレームが直方柱を形成するようになっていることが一般的である。
【００１１】
一実施形態では、前記パネルは、前記モジュール式建物ユニットに印加される力に耐える前記モジュール式建物ユニットの構造性能に寄与している。
【００１２】
一実施形態では、前記パネルは、前記フレームの面と一致している。一実施形態では、前記パネルは、前記フレームの面から後退している。
【００１３】
一実施形態では、前記パネルは、前記モジュール式建物ユニット内の少なくとも一部において、部屋を部分的に画定する壁の一部であるか又は一部を形成している。
【００１４】
一実施形態では、前記建物ユニットは、前記フレームの内部にあり該フレームに固定された複数の構造スタッドフレーム壁パネルを備え、前記壁は、前記モジュール式建物ユニット内に部屋を画定し、前記複数のパネルは、前記モジュール式建物ユニットに印加される力に耐える前記モジュール式建物ユニットの構造性能に寄与する。一実施形態では、前記力は、前記建物ユニットの上部に積重された他の建物ユニット等からの静的力と、暴風天候状況において受ける力等の動的力とを含む。
【００１５】
一実施形態では、前記モジュール式建物ユニットは、該モジュール式建物ユニット内の部屋に仕切りを形成するための非構造壁パネルを備える。
【００１６】
一実施形態では、前記建物ユニットは、前記フレームの内部にあるが、前記フレームの外部に開放することができるベランダデッキを備える。一実施形態では、前記ベランダデッキは、前記建物ユニットの前記面のうちの１つを通じて前記建物の外部に対して開放されている。
【００１７】
一実施形態では、前記ベランダデッキは、厳しい天候状況の間、前記ベランダデッキを閉鎖するためのシャッターを備える。一実施形態では、前記ベランダデッキは、前記建物ユニットの前記面のうちの１つに沿ったレール又は欄干を備える。
【００１８】
一実施形態では、前記ベランダデッキは、使用時に隣接する建物ユニットのベランダデッキに対して開放されている。
【００１９】
一実施形態では、前記建物内で前記ベランダデッキを部屋から仕切る壁は断熱されている。一実施形態では、前記ベランダデッキのエンクロージャは断熱されていない。
【００２０】
一実施形態では、前記建物ユニットは、前記フレームの内部に建物内部サービス進入路の一部分を更に備える。一実施形態では、前記建物内部サービス進入路は、移送用の取り外し可能パネルによって覆われている。一実施形態では、前記建物内部サービス進入路は、前記取り外し可能パネルが取り外されたときに、前記フレームの外部に対して開放されている。
【００２１】
一実施形態では、前記建物ユニットは、前記モジュール式建物ユニットにおいて外部に対して開放することができる建物内部サービス進入路の第１の部分であって、建物内部サービス進入路の補完的な第２の部分を有する別の建物モジュールが前記第１の部分に隣接して配置されたときに、それらが建物内部サービス進入路の組み合わさった部分を画定するように配置された、建物内部サービス進入路の第１の部分を更に備える。
【００２２】
一実施形態では、前記建物内部サービス進入路は、前記建物ユニットの面において凹部の形態である。
【００２３】
一実施形態では、前記建物ユニットは、前記フレームの各側面及び各端面に取り付けられた耐候性外部パネルを更に備える。一実施形態では、前記外部パネルは取り外し可能である。
【００２４】
一実施形態では、前記建物ユニットは、移送用に側面及び／又は端面に取り付けられた取り外し可能パネルを更に備え、前記パネルはＦＲＰから形成されている。
【００２５】
一実施形態では、エアギャップが、前記外部パネルと前記フレームの内部の壁との間に設けられている。一実施形態では、前記フレームの内部の前記壁は前記スタッドフレームパネルである。
【００２６】
一実施形態では、前記外部パネルは、荷重支持を前記フレームに提供する。
【００２７】
一実施形態では、前記建物ユニットは、地面支持体又は別の建物ユニットへの取り付け用に前記フレームの底部にわたって横方向に延在するとともに前記フレームの端部から内方に離間した複数の梁を更に備える。
【００２８】
一実施形態では、前記フレーム又は前記横方向の梁のうちの１つ又は複数は、繊維強化ポリマー（ＦＲＰ）から形成されている。
【００２９】
一実施形態では、前記建物ユニットは、前記フレームの側面に１つ又は複数の取り外し可能垂直支持体（supports：支柱）を更に備える。
【００３０】
一実施形態では、前記ユニットは、前記フレームの側面に１つ又は複数の取り外し可能垂直支持体を更に備え、前記垂直支持体は、ＦＲＰ梁から形成されている。
【００３１】
一実施形態では、前記内壁は、スタッドフレームの内部に断熱材を有する該スタッドフレームから形成されている。
【００３２】
一実施形態では、前記建物ユニットは、前記フレームの上面の内部に取り付けられた構造パネルを更に備える。
【００３３】
一実施形態では、前記ユニットは、前記フレームの上面に取り付けられたパネルを更に備え、上部パネルは、ＦＲＰから形成されている。
【００３４】
一実施形態では、前記建物ユニットは、前記取り外し可能パネルがそれぞれの側面又は面から取り外されたとき、前記建物における別の建物ユニットへの移動を可能にするための開口を前記側面又は前記端面に更に備える。
【００３５】
一実施形態では、外部の仕上げが、前記建物ユニットの側面／端部又は前記ユニットの天井の前記パネルに適用されている。
【００３６】
一実施形態では、前記フレームは、各コーナーに取り付け箇所を有する。
【００３７】
一実施形態では、前記フレームは、各コーナーにＦＲＰから形成された取り付け箇所を有する。
【００３８】
一実施形態では、前記建物ユニットは、２．４ｍ〜６ｍ、好ましくは２．６ｍ〜４．２ｍの幅である。好ましい実施形態では、各コンテナーは、約３．３ｍ（１１フィート）〜約３．５ｍの幅である。
【００３９】
一実施形態では、前記建物ユニットは、６ｍ（２０ フィート）の長さである。他の実施形態では、前記コンテナーは、６．８ｍ、７．２ｍ、１２ｍ、１４．４ｍ、１８ｍ、又は３６ｍのうちの１つの長さである。
【００４０】
一実施形態では、前記建物ユニットは、２．９ｍ（９フィート６インチ）〜３．２ｍの高さである。一実施形態では、各コンテナーは、約３．４８ｍの高さである。一実施形態では、各背丈の高いコンテナーは、５．８ｍ（１９ フィート）〜６．２ｍの高さである。
【００４１】
一実施形態では、前記建物ユニットは、背丈の高いコンテナーであり、該背丈の高いコンテナーは、上下に積重された２つの他のユニットの高さと、他の建物ユニットの長さの２分の１の長さとを有する。一実施形態では、長さは約３ｍである。一実施形態では、各背丈の高いコンテナーは８．７ｍの高さである。
【００４２】
一実施形態では、前記コンテナーの前記フレームは、複数のそのような建物ユニットから形成される建物の構造要素を形成する。
【００４３】
一実施形態では、前記コンテナーの前記端部パネル及び／又は前記側面パネルは、複数のそのような建物ユニットから形成された建物の構造要素を形成する。
【００４４】
一実施形態では、前記建物ユニットは、構造変更することなく前記建物に組み立てることができるように構成されている。
【００４５】
一実施形態では、前記建物ユニットは、移送用に積重可能であり、前記建物において積重することができる。
【００４６】
一実施形態では、前記建物ユニットは、該建物ユニットが建物に形成されるとき、該建物ユニットの上方に配置される屋根の一部分を備える。
【００４７】
一実施形態では、前記屋根部分のトラスは、ＦＲＰから形成されている。一実施形態では、前記屋根部分の屋根クラッドシートは、ＦＲＰから形成されている。一実施形態では、前記屋根部分は、リフト箇所を備える。
【００４８】
一実施形態では、フォークリフトタインを受け取るための開口は、ＦＲＰのケーシング形態を備える。
【００４９】
本発明によれば、建物の建設用のモジュール式建物ユニットが提供され、該モジュール式建物ユニットは、前記建物の建設において別のモジュール式建物ユニットへの相互接続に好適な構造フレームを備え、該建物ユニットの壁は、
前記フレームの内部にあり、該フレームの面と平行であるように該フレームに固定された第１の構造パネルと、
第２の構造パネルであって、前記第１の構造パネルに対して平行であるとともに、前記第１の構造パネルと該第２の構造パネルとの間にエアギャップが設けられるように前記第１の構造パネルから離間するように前記フレームに固定された、第２の構造パネルと、
を備え、該モジュール式建物ユニットは移送可能である。
【００５０】
また、本発明によれば、前記建物ユニットが建物に形成されるときに、前記建物ユニットの上部に配置される屋根部分を備える建物モジュールが提供される。
【００５１】
一実施形態では、前記屋根部分は、ＦＲＰから形成されたトラスを備える。
【００５２】
また、本発明によれば、複数のモジュール式建物ユニットを備える建物が提供され、各モジュール式建物ユニットは、上記説明のうちの１つ又は複数によるものである。
【００５３】
一実施形態では、前記建物は、各建物ユニットの長手方向に横に並んだフレーム及び隣接する平行な背中合わせにされた内壁を備える。
【００５４】
一実施形態では、前記建物は、少なくとも２つの隣接する建物ユニットの少なくとも２つの建物内部サービス進入路部分に形成された建物内部サービス進入路を備える。１つの実施形態では、前記建物内部サービス進入路部分は、前記建物ユニットが、端部と端部とが接続されることによって形成される。１つの実施形態では、前記建物内部サービス進入路部分は、前記建物ユニットが横に並ぶことによって形成される。１つの実施形態では、前記建物内部サービス進入路部分は、前記建物ユニットが、端部と端部及び側面と側面とが接続されることによって形成される。
【００５５】
また、本発明によれば、上記に規定された複数の建物ユニットを準備することと、前記建物ユニットを互いに隣り合わせて配置することと、前記ユニットを互いに接続して単一の構造体にすることとを含む、建物を建設する方法が提供される。
【００５６】
一実施形態では、前記建物ユニットは、端部と端部とを接続して配置される。一実施形態では、前記建物ユニットは、横並びに配置される。
【００５７】
一実施形態では、前記建物ユニットは積重される。
【００５８】
また、本発明によれば、ＦＲＰシートを構造体に固定するための取り付け箇所を有する該シートを含む、建物に用いられるパネルが提供される。
【００５９】
一実施形態では、前記シートの第１の表面は、構造体に固定する前に装飾的使用に好適な方法で仕上げられる。
【００６０】
本明細書において、「備える」又は「含む」（“comprising” or “comprise”）という用語は、包含的に用いられており、排他的又は網羅的には用いられていない。
【図面の簡単な説明】
【００６１】
次に、本発明のより良い理解を提供するために、好ましい実施形態が、添付図面を参照して単なる例として説明される。
【００６２】
【図１】本発明の一実施形態による建物ユニット及び建物を示す概略的な一組の平面図である。
【図２Ａ】屋根が取り外された状態の図１の建物のモジュール式建物ユニットのバンクの上部等角図である。
【図２Ｂ】図２Ａのバンクの下部等角図である。
【図２Ｃ】取り外し可能外板（skin）が取り外された状態の図２Ａの建物のモジュール式建物ユニットのバンクの上部等角図である。
【図２Ｄ】図２Ｃの建物のモジュール式建物ユニットのバンクの上部等角図であり、内壁が仮想形態で示され、モジュール式建物ユニットの別のバンクが、内壁も屋根も伴わず、取り外し可能外板が取り外された状態で隣接している。
【図３】屋根が取り外された状態の図１のモジュール式建物ユニットの上部等角図である。
【図４】外部の壁パネルを取り外した結果の天井及び内壁を示す図３のモジュール式建物ユニットの上部等角図である。
【図５】図３のモジュール式建物ユニットのフレームの上部等角図である。
【図６】本発明のモジュール式建物ユニットの一実施形態の部分的な側断面図である。
【図６Ａ】上下に積重された本発明の２つのモジュール式建物ユニットの一実施形態の部分的な側断面図である。
【図７】図６の建物ユニットの一部分の拡大図である。
【図８】本発明による建物ユニットの横梁の一実施形態の断面斜視図であり、当該横梁へのアクセスを可能にするために床構造の一部が取り外されている。
【図９】本発明による建物ユニットのコーナーの一実施形態の水平断面図である。
【図１０】本発明による建物ユニットの内部コーナーの一実施形態の水平断面図である。
【図１１】本発明による建物ユニットの屋根セクションの一実施形態の垂直断面図である。
【図１２】本発明による建物ユニットの床セクションの一実施形態の垂直断面図である。
【図１３】本発明による建物ユニットの壁セクションの一実施形態の垂直断面図である。
【図１４】本発明による建物ユニットの壁セクションの一実施形態の垂直断面図である。
【図１５】本発明による建物ユニットの壁セクションの一実施形態の垂直断面図である。
【図１６】本発明による窓を有する建物ユニットの壁セクションの一実施形態の水平断面図である。
【図１７】図１の建物のクラスターの端面図である。
【図１８】図６の建物のクラスターの側面図である。
【図１９】本発明の別の態様の一実施形態によるパネル対の側面図である。
【図２０】本発明の別の態様の一実施形態によるモジュール式建物ユニットの端部の側面図である。
【図２０Ａ】本発明の別の態様の一実施形態による代替的なモジュール式建物ユニットの端部の側面図である。
【図２１】図２０のモジュール式建物ユニットの側面の側面図である。
【図２１Ａ】図２０Ａのモジュール式建物ユニットの側面の側面図である。
【図２２】本発明の一実施形態によるモジュール式建物ユニットのバンクの上部等角図である。
【図２３】図２２のバンクの水平断面の平面図である。
【図２４】本発明の一実施形態によるモジュール式建物ユニットの水平断面の平面図である。
【図２５】図２４の複数の建物ユニットを備える建物の一部分の水平断面の平面図である。
【図２６】図２４の建物ユニットの側面図である。
【図２７】図２５の建物ユニットの端面図である。
【図２８】図２４の細部Ｄ１の拡大水平断面図である。
【図２９】図２４の細部Ｄ２の拡大水平断面図である。
【図３０】図２４の細部Ｄ３の拡大水平断面図である。
【図３０Ａ】図２４の別の細部Ｄ３の拡大水平断面図である。
【図３１】本発明による建物の屋根の一実施形態の幾つかの部分を示す概略平面図である。
【図３２】本発明による建物ユニットの概略上部等角図である。
【図３３】本発明による幾つかのタイプのモジュール式建物ユニットの選択パレットの平面図である。
【図３４】本発明の一実施形態による代替的な建物構成を示す概略的な一組の等角図である。    <図３５>図２４の細部Ｄ４の拡大水平断面図である。    <図３５Ａ>図２４の別の細部Ｄ４の拡大水平断面図である。
【発明を実施するための形態】
【００６３】
図１を参照すると、本発明の一実施形態による建物１０が示されている。この建物は、例えば、採鉱地宿泊村、ホテル、ホスピス、又はオフィスとすることができる。
【００６４】
建物１０は、１つ又は複数のクラスター１２を備える。この実施形態では、クラスターは、複数の同様の使用エリアを備える。例えば、宿泊複合施設では、居住区域は、寝室及び浴室とすることができる使用エリアを含むことができる。クラスターは、モジュールの複数のバンク１４、１４’、１４’’、１４’’’を備える。モジュールのバンク１４は、１つ又は複数のモジュール式建物ユニット１６を備える。この実施形態では、バンク内及び好ましくはクラスター内のあらゆるユニットが同じ寸法を有する。この実施形態では、各バンク１４は、両端部間に位置決めされた３つのユニット１６を備える。したがって、各バンクは同じ寸法を有する。代替的な一実施形態（図２２及び図２３に示すもの等）では、バンクは、両端部間に２つのユニットを備える。また更なる一実施形態では、バンクは、単一の建物ユニット（図２４に示すもの等）である。
【００６５】
さらに、この実施形態では、各バンク１４は、廊下３０の各側に左右対称の使用エリアを備える。例えば、各バンク１４は、廊下３０の各側に居住区域を備えることができる。代替的に又はこれに加えて、バンク１４は、横に並んだ複数のユニット１６を備えることができる。この実施形態では、各クラスターは、横に並んだ配置の複数（この事例では、１５個）のバンク１４を備える。さらに、クラスター１２は、複数のバンク１４の両側に、それぞれが異なる使用法を有する異なるタイプのバンク１４’、１４’’、及び１４’’’を備える。この実施形態では、バンク１４’は、階段又はエレベーター等の垂直アクセスユニットを備える。この実施形態では、クラスターは、クラスター接続部分２０によって互いにオフセットされて接続されている。
【００６６】
一実施形態では、各ユニットは、ユニットタイプであり、各ユニットは、そのユニットタイプに従って構成されている。一実施形態では、この構成は、内壁構成及び外（ユニットの周囲）壁構成の一方又は双方を含む。一実施形態では、各バンクは、バンクタイプである。ここで、各バンクタイプは、そのユニットのユニットタイプに従って定義される。
【００６７】
バンク１４は、図２Ａ〜図２Ｄにより詳細に示されている。この実施形態では、バンク１４は、ユニット１６Ａを備え、このユニットは、浴室３２及び３２’へのサービス廊下３０及び勝手口を備える。ユニット１６Ａの両側には、ユニット１６Ｂ及び１６Ｃがあり、これらのそれぞれは、寝室３４／３４’及びベランダ又はプライベートバルコニー３６／３６’を備える。出入口５６は、部屋３４’から浴室３２’に通じている。一代替形態では、廊下は、入口通路とすることができ、部屋３２及び３２’は入口であり、部屋３６及び３６’は浴室である。
【００６８】
また、図３〜図５を参照すると、各ユニット１６は、直方柱の形状の構造フレーム４０を備える。一代替形態では、構造フレーム４０は、矩形部及び４つの脚を備える矩形テーブル形状の形態である。各脚は、矩形部のコーナーのうちの１つから延びている。通常、この矩形部は建物ユニットの基部にあり、脚は垂直に延びている。そのような場合、別の建物ユニットの別の矩形部がコーナーにおいて接合されており、この他の矩形部及び構造フレームが直方柱を形成するようになっているのが一般的である。
【００６９】
通常、フレーム４０は、鉄骨梁から形成されているが、一実施形態では、フレーム４０は、ボンディング及び／又は機械的結合によって互いに固定された繊維強化ポリマー（ＦＲＰ）（繊維強化プラスチックとしても知られている）梁から形成される。
【００７０】
ＦＲＰは、通常はガラス繊維（ファイバーガラス）又は炭素繊維又はアラミド繊維である繊維を用いて高分子マトリックスを強化することによって形成された複合材料である。このポリマーは、通常、熱硬化性樹脂又は熱可塑性樹脂である。これらの繊維は、一般に、ＦＲＰから形成された部材による必要性に応じて、強度及び変形抵抗を提供するように適応されている。梁の場合、繊維は、長手方向の変形に対する荷重支持及び耐荷重に適応されている。ＦＲＰ梁は、接続点の箇所にあるあらゆる残留した離型剤を除去し、構造接着剤を塗布し、及び／又は梁をともに若しくはコーナー５０等の共通の接続部材にボルト締めする等の機械的結合を用いて固定することによって、フレームを形成するように接続される。
【００７１】
角柱の内部５６は、建設されたときに建物の内部の一部分となる。フレームの長手方向に配置された端面は、垂直に延在する支持部材４４を有する。一実施形態では、支持部材４４は、スチールから形成されているが、代替的な一実施形態では、ＦＲＰ梁から形成することができる。これらの長手方向のフレーム部材は、それらの間に垂直に延在する取り外し可能な支持体５２を有する。これらの支持体は、ユニットの移送中に用いられ、追加の支持強度を構造体に提供するように好適な位置に保持することができる。しかしながら、これらの支持体５２を取り外して、上部長手方向フレーム部材と底部長手方向フレーム部材との間の空間４６を開放した状態にしておくこともできる。これによって、壁が取り外されて、ユニット１６の内部５６に通じる空間４６が開放された状態にされたとき、建物内のエリアを、壁が取り外されない場合に利用可能なエリアよりも大きくすることが可能になる。フレームの底面は、梁の形態の横向きの支持部材４２を有する。フレームの上面も、横向きの支持部材を有することができる。支持部材４２は、ユニットの床が十分な重さを支持することを可能にし、地面支持／取り付けシステム又はユニット下部のレベルに底部レベルを取り付けるのに用いることもできる。横部材７０は、長手方向の水平底部のフレーム部材４０間に延在し、床８６を支持する。
【００７２】
移送用に、及び所望の場合には、組み立てられた建物において用いられるために、角柱の面は、図３に見られるように、外側壁６０及び端壁６２を有することができる。１つの実施形態では、図４に見られるように、内側壁８０及び／又は内部横壁８２が、外壁の内部及びフレーム４０の内部に設けられる。内壁８０及び８２をより明瞭に見ることができるように、図４では、外壁６０及び６２は図示されず、フレーム４０は仮想表示されている。
【００７３】
一実施形態では、内壁８０／８２は、必要に応じて単数若しくは複数の部屋又はユニット内のより大きな部屋の一部を画定するように構成することができる。外壁６０／６２は、好ましくは、屋外に露出した状態でのユニットの移送に好適な外板である。一実施形態では、外壁６０／６２は、Ｃｏｒ−ｔｅｎ（商標）等の耐候性スチール材又は一代替形態ではＦＲＰの１つ又は複数のパネルから形成されている。一実施形態では、外壁６０／６２は、移送後に取り外し可能であるか、又は耐候性外壁として若しくはフレームに固定されてフレームの荷重支持容量を支持する構造部材として建物に保持される。内壁８０／８２（図６では、図示されていない側壁６０を伴って示されている）は、特に、多層構成において用いられるとき又は暴風（cyclone：竜巻、サイクロン）多発エリアにおいて用いられるときにフレームと組み合わせて荷重を支持するために、ユニット１６に構造的完全性も提供することができる。この実施形態では、内壁８２は、端壁６２の裏側にある。ユニット１６は、内部天井８４と、移送用の側壁６０と同じ耐候性材料から構成された上面外板６４とを有することもできる。これは、建物１０にも保持することができる。
【００７４】
外部外板６０／６２及び／又は内壁８０／８２は、ユニットでの設置前に表面を装飾的な外観で仕上げたＦＲＰシートを含むパネルから形成することができ、そのため、この表面が、ユニットに設置されたときにディスプレイされるにようになっている。そのようなパネルは、本明細書において説明するモジュール式建物ユニット以外の建物における用途を有する。これらのパネルは、フレーム又は建物の他の構造体へのボルト締め又はねじ留め用の穴等の固定する箇所を有する。
【００７５】
移送に備えて、ユニット１６のコーナー５０は、トラック、鉄道車両、又は船舶等の移送車両への及びそのような移送車両からのユニットの持ち上げ用、及び建物１０における所定の位置での位置決め用の取り付け箇所を有することができる。これらの取り付け箇所は、輸送コンテナーに用いる標準的な形態の「鋳造」であるが、一実施形態では、これらは、ＦＲＰから形成され、フレーム４０の垂直エッジ部材又はフレーム４０の長手方向部材と一体形成することができる。下部長手方向フレーム部材４０の両側には、フォークリフトのタインを受け取るためのフォークポケット５４があり、これは、標準的な輸送コンテナーと同じである。
【００７６】
横断する破線ＩＩ及びＨＨは、梁４２を通って延びている。これらの破線は、長手方向の破線Ｉ及びＨと４８において交差している。これらの線は、建物の設計において格子を用いることを可能にし、ユニットのエッジからのユニットの幅／長さの１／４だけ離間されている。この実施形態では、これらの線は、垂直支持体４４と端部の底部構造部材４０との交差部を通って延びている。一実施形態では、垂直支持体は、約２．４ｍ離れている。これらの支持体も、明瞭な開口４７を可能にするために取り外し可能である。一般に、開口４７は、建物の内部にあり、荷重は、フレームと、幾つかの場合には構造壁パネル８０／８２及びパネル６０／６２とを通ってこれらに分散される。
【００７７】
梁４２は、理想的にはフレーム４０の長さの約３分の１から４分の１だけ、フレーム４０のそれぞれの端部の内方に位置決めされている。梁４２は、一般に約２ｍ離れたフォークポケット５４の外方に位置決めされるべきである。
【００７８】
垂直支持体４４は、理想的にはフレーム４０の幅の約４分の１だけ、フレーム４０のエッジの内方に位置決めされている。一実施形態では、支持体４４は、各エッジから約０．５ｍ〜約１ｍ、好ましくは約０．４８６ｍである。
【００７９】
垂直支持体５２は、理想的にはフレーム４０の長さの約４分の１から３分の１だけ、フレーム４０のエッジの内方に位置決めされている。一実施形態では、支持体５２は、各エッジから約２ｍである。支持体５２のそれぞれは、同じ距離だけエッジから内方に位置決めされる必要はない。これは図５の場合である。これらの支持体は、内壁を固定する構造を提供するように位置決めすることができる。
【００８０】
一実施形態では、移送用に筋かいをフレーム４０の側面に設けることができる。そのような筋かいは、内壁８０／８２並びに屋根８４の天井パネル及び床８６にも用いることができる。
【００８１】
一実施形態では、建物の一部分又は全体は多層である。図１７及び図１８に示す実施形態では、２つの層がある。図示するように、バンク１４Ａ、１４Ｂ、及び１４Ｃはそれぞれ、２つの層が存在するように、上部にそれぞれのバンク１４ＡＡ、１４ＢＢ、及び１４ＣＣを有する。バンク１４Ａは、建物の外部への扉か、又は下部階段吹き抜けユニット１６ＢＡ及び１６ＢＡ’の前にあるバンク１４Ａ内の進入路への扉を有する端部廊下ユニット１６Ａを有する。バンク１４ＡＡ内のユニット１６Ａの上方には、建物の外部への扉と手すりとを有する端部廊下ユニット１６ＡＢがある。階段吹き抜けユニット１６ＢＡ及び１６ＢＡ’の上部がバンク１４ＡＡにある。ユニットは、２層の高さとすることができる。屋根が、２つの部分１００及び１００’にあり、バンク１４ＡＡに広がっている。各部分１００及び１００’は、それぞれの端部建物ユニット及び部分的に覆われたユニット１６ＡＢよりも長い。
【００８２】
図６を参照すると、基礎（footings）１５０、１５２、及び１５４に載置された建物ユニットの一実施形態が示されている。一代替形態では、スラブを基礎とともに又は基礎の代わりに用いることができる。横梁４２は、建物ユニットの端部の内方にあり、内部の基礎１５０に固定され、外部にある底部取り付け箇所５０は、周囲の基礎１５２に固定され、建物の内部にある底部取り付け箇所５０は、隣接する建物ユニットの取り付け箇所５０’とともに、２つのＣチャネルによって基礎１５２に固定される。一実施形態では、基礎１５０、１５２、及び１５２は、地表面上にあるパイル基礎である。一代替形態では、それらの基礎は、地面又はその下にすることができ、更なる一代替形態では、基礎の代わりに、垂直ポスト又は螺旋杭が存在してもよい。また更なる一代替形態では、基礎の代わりに、図６Ａに示すように、建物ユニットの下への取り付け箇所が存在してもよい。梁４２は、所定の位置にボルト締めされる貫通する単数又は複数の穴を有する好適なフランジ付き表面を有することが望ましい。
【００８３】
フレームの上面には、上部に積重された建物ユニットに梁４２を取り付けるための、対応して位置決めされた梁４２’が存在することができる。梁４２及び４２’は、建物ユニットの長さにわたるトーションに対する抵抗を含む、フレームの構造的な強化を提供することができる。
【００８４】
図６Ａには、積重されたユニット間のコーナー取り付け箇所５０が他方の上に位置し、ともに固定することができることを見て取ることができる。さらに、上部ユニットにおける横梁４２は、フレーム４０の長手方向部材及び／又はフレーム４０に固定された他の長手方向チャネル部材８８（Ｃチャネル等）の上に位置することができる。一実施形態では、部材８８は、ＦＲＰから形成することができる。
【００８５】
この実施形態では、建物ユニットは、フレーム４０の上部長手方向部材及び／又は他の長手方向チャネル部材８８に固定された、間隔を空けて配置された逆方向単一勾配の屋根部分１００を有する。この屋根部分は、上部排水シート１１４に重なり部分１２４を有する当接した屋根部分１０２、１０４、１０６、及び１０８を備える。図６に図示していない他の部分が存在してもよい。各部分は、水平寸法を前のものよりも次第に長くすることができ、高さを前のものよりも次第に短くすることができる。一実施形態では、屋根部分の（こちら側からページ内への）幅は、各建物ユニットの幅よりも小さい。一実施形態では、同じタイプの２つ又は３つのパネルが上部壁６４上に横並びに位置して建物ユニットの幅を覆うように、各屋根部分は、建物ユニットの幅の１／２又は１／３である。
【００８６】
図７を参照すると、一実施形態では、屋根部分は、傾斜したトラス又はフレームから形成され、底部水平梁１１８は根太であり、上部水平梁１１０は垂木であり、Ｓ字型セクション１１２は屋根シート１１４が固定される目板である。各トラスの端部には、垂直梁１２０があり、これらの梁は、隣接する部分間で当接し、ともに固定することができる。背丈がより高い部分１０２は、水が屋根１００から徐々に適切に流れ落ちることを確実にするために、その屋根シート１２２が１２４においてシート１１４と重なり合っていることが見て取ることができる。一実施形態では、屋根部分、又はトラスの梁１１０、１１８、１２０、１１６及び屋根シート１１４を含むその幾つかの部分は、例えば、押し出しアルミニウム及びスチール屋根シート若しくはＦＲＰ梁／パネルから形成されるか、又は一体成形されたＦＲＰ部材として形成される。
【００８７】
同様に図７に示すように、断熱壁８０は、電気ケーブル又は配管サービスによる使用のために設置されたサービス導管１８２を有する。代替的に又はこれに加えて、内壁８０と床構造８６との間にサービスアクセス幅木（service access skirting）を設けることができる。
【００８８】
図８を参照すると、横梁４２がより詳細に示されている。この梁は、１つの実施形態ではＩ型梁であり、別の実施形態では２つの背中合わせにされたＣチャネルである。梁４２は、好ましくは、長手方向底部フレーム部材４０に溶接、ボンディング、及び／又は機械的に結合（ボルト締め等による）される。梁４２は、梁４２を基礎１５２又は別の建物ユニットの下に固定するための固定穴１３０を有する。また、長手方向の水平底部のフレーム部材４０間に延在する横Ｃチャネルクロス部材７０も示されている。一実施形態では、これらのクロス部材は、スチール又はＦＲＰから形成されている。床８６を形成する床部材（複数の場合もある）１３２も示されている。梁４２の固定箇所を覆うアクセスパネルは取り外されている。梁４２を基礎に固定することによって、フレームから梁４２の各端部への荷重の伝達に加えて、フレームから基礎への荷重の伝達が可能になる。
【００８９】
図９を参照すると、断熱内壁８０を示す建物ユニットのコーナーが、内壁８２に接合された状態で示されている。この壁８０は、酸化マグネシウムセメントボード又はプラスターボードのパネル、ＦＲＰパネル等の間に断熱材１６４を有する軽量スチールフレーム１６０等のフレームから構成されている。この壁は、暴風状況（cyclone conditions）に対して保証することができ、及び／又は難燃性とすることができる。フレーム８０の両側面に熱遮断シート１６６及び１６８を設けることができる。ギャップ１７２が内壁８０と側壁６０’及び端壁６２との間に設けられるように、軽量スチール垂直部材１７０がコーナーポスト４０の内部におけるフレーム１６０内に位置している。この部材１７０も、長手方向フレーム部材と、該当する場合には垂直部材５２とに固定されている。内壁８０は、その長さに沿って規則的に離間した垂直に延在するスチールスタッドを有する。例示の通常の間隔は３００ｍｍである。壁紙又はラミネート等のライニング１８２を内壁クラッド１７４に貼付することができ、この内壁クラッドは、次に、浴室又は洗濯室等の水周り用の耐水シート１７６に貼付することができる。壁構造に対する変形形態が図１３〜図１６に関して説明される。
【００９０】
壁８０／８２は、当該壁があたかもフレームの内部にないような暴風耐性定格を受け入れることを可能にするように建設することができる。これによって、フレーム及び／又は壁６０／６２によって構造的完全性が高められるにもかかわらず、建物ユニットは、フレームの内部の暴風定格を有する構造の構造的完全性を有することが可能になる。
【００９１】
別の建物ユニットのコーナーポスト４０及びコーナーポスト４０’の接続点５０を接続するコネクタ１９０も示されている。
【００９２】
この実施形態における壁部材６０Ａは、他の実施形態における壁部材６０とは異なる。壁部材６０Ａは、固定部材１８４を受け取るための柱３３２の凹部と、審美的外部クラッド２３２の取り付け用の穴１８６とを有する。壁６０Ａは、ボルト１８８によってフレーム４０にボルト締めすることができる。外部クラッドは、ＦＲＰシートとすることができる。
【００９３】
図１０は、４つのユニットのコーナーにおける同様の構造体を示している。壁部材６０と６０’との間にエアギャップ１９２が存在する。隣接する壁部材６０又は６２が取り外されると、エアギャップ１９２を点検（service：サービス）用に用いることができる。
【００９４】
図１１を参照すると、通常は耐候性スチールから形成されるか又はＦＲＰパネルから形成することができる上部パネル６４を備える天井構造体８４の一実施形態が示されている。一実施形態では、好ましくはエアギャップによって分離された内部断熱天井パネル２０８が下にある。一実施形態では、この天井パネルは、フレームスタッド間に断熱材を有するスタッドフレームから形成され、ここには、必要とされるサービスダクト又はサービス導管が設けられる。天井パネルは、通常、フレームに固定されて、フレームの構造的完全性を高める。一実施形態では、スタッドフレームの片側又は両側に、気泡アルミニウムホイル２０６及び２１０等の断熱材シートがある。この断熱材シートは、熱遮断として働く。一実施形態では、パネル２０８の下には、酸化マグネシウムセメントパネル又はＦＲＰパネル等の通常は防火性の装飾的クラッド２１２がある。パネル２１２は、例えば、音相殺穿孔（sound cancelling perforations）を設けることによって音響を減衰することができる。
【００９５】
装飾的クラッド２１２の一代替形態では、つり天井用の目板が存在してもよい。
【００９６】
一実施形態では、屋根には、ソーラーパネル２０４を支持するのに最適な角度でブラケットによって保持される賦形（profiled）シート金属パネル２０２がヒンジ上にある。代替的に、ソーラーパネルは、屋根パネルの一部を形成することができる。
【００９７】
図１２を参照すると、通常、クロス部材７０に固定された耐候性スチール又はＦＲＰパネルから形成された底部パネル１３２を備える床構造８６の一実施形態が示されている。一実施形態では、この上部には、熱遮断として働く気泡アルミニウムホイル２２２等の防水断熱材シートがある。一実施形態では、この上部には、各側に０．５ｍｍの粉体塗装シート金属又はコンクリートワッフル梁を有する５０ｍｍポリスチレンコア等の金属断熱パネル２２４がある。この上部には、圧縮ビニル床２２６がある。タイル、木材、又はカーペット等の他の床表面を代替形態として用いることができる。
【００９８】
図１３を参照すると、建物の外壁２３０の一実施形態が示されている。この実施形態では、オプションの外部クラッド２３２が、固定部材１８４及び穴１８６を用いること等によってパネル６０Ａ又は端部６２Ａの外側面に塗布される。内側面には、パネル８０等の断熱壁パネル２３６がある。一実施形態では、このパネルは、フレームスタッド２５０間に断熱材２５２を有するスタッドフレームから形成される。必要な場合には、サービスダクト又は導管がパネル２３６に設けられる。一実施形態では、スタッドフレームの片側又は両側には、熱遮断として働く気泡アルミニウムホイル２３４及び２３８等の防水断熱材シートがある。一実施形態では、内表面には、酸化マグネシウムセメントボード又はＦＲＰパネル等の好ましくは耐火性の装飾的クラッド２４０がある。このクラッドは、表示面に適用される装飾的画像を有することができる。
【００９９】
パネル２３６は、フレーム４０の底部長手方向部材に位置する底部エッジ２５４を有する。クラッド２３２及び側面／端部６０／６２は、建物ユニット１６の全側面を覆うとき、更に下方に延在する。
【０１００】
図１４を参照すると、建物の内壁２４０の一実施形態が示されている。この壁は、建物ユニットの外部にあるが、建物が建物ユニットから組み立てられたとき、建物の内壁になる。この壁は、クラッド２３２が備えられていない点を除いて壁２３０と同様の構造を有する。オプションとして、側面／端部６０／６２は、取り外すことができる。通常、この内壁２４０は、隣接する建物ユニットの同様の左右対称の内壁に面する。
【０１０１】
図１５を参照すると、「水周り」の内壁２６０の一実施形態が示されている。水周りは、浴室、洗濯室、屋外バーベキューエリア、又は台所等の水道を有するエリアである。水周りは、クラッド２３２がオプションとして備えられていない点を除いて壁２３０と同様の構造を有する。オプションとして、側面／端部６０／６２は、取り外すことができる。加えて、耐水クラッド２６２が最も内部の面にある。このクラッド２６２は、ＦＲＰパネルとすることができる。
【０１０２】
図１６を参照すると、開口を有する内壁２７０の一実施形態が示されている。この内壁は、開口５６が、扉又は窓２７４を有することができる壁に設けられている点を除いて壁２６０と同様の構造を有する。一実施形態では、この窓は、熱遮断フレーム２７２を有する粉体塗装又はビニルラップされた２重ガラス引窓である。一実施形態では、この壁セクションは、ベランダエリアへの壁として用いることができる。一代替形態では、この壁２７０は、外壁とすることができ、この場合、側面／端壁６０／６２が存在する場合があり、これが外部の大気に暴露される場合には、オプションとして外部クラッド２３２を備えることができる。外部クラッド２３２は、耐候性スチール又はＦＲＰパネル６０／６２とすることができ、表示面に適用された装飾的仕上げを有することができる。
【０１０３】
断熱材料は、例えば、石綿／岩綿断熱等の耐火性であることが好ましいが、シート／外板６０／６２又は酸化マグネシウムセメントボード２１２／２３８等の他の層も、耐火層としての機能を果たす。この層は、耐水特性及び防黴特性並びに音響絶縁特性も有することも好ましい。
【０１０４】
開口５６は、設置された暴風定格シャッターを有することができ、このシャッターは、ベランダから建物１０の外部への開口に壁６２とともに設置されると、フレーム４０の内部にあるベランダが暴風定格になることを可能にする。
【０１０５】
一実施形態では、ベランダデッキは、建物ユニットの面のうちの１つに沿ったレール又は欄干を備える。
【０１０６】
一実施形態では、ベランダデッキは、使用時には、隣接する建物ユニットのベランダデッキに対して開放されている。
【０１０７】
一実施形態では、建物内でベランダデッキを部屋から仕切る壁は断熱されている。一実施形態では、ベランダデッキのエンクロージャは断熱されていない。
【０１０８】
底部パネル１３２を除く内壁８０／８２、天井パネル２０８、及び床構造８６は、１つ又は複数の内部モジュールとして、設置された設備（service）を用いて建設することができる。次に、これらの内部モジュールは、フレーム４０内に設置されて、フレーム４０に固定される。
【０１０９】
底部パネル１３２を除く内壁８０／８２、内部天井パネル２０８、及び床構造８６は、フレーム４０があたかも存在しないような好適な構造的完全性を有するボックス構造体とすることができる。これにより、建物ユニット１６が、同等の構造体がフレーム４０なしで有する定格と少なくとも同等の天候定格を有することを可能にすることができる。
【０１１０】
移送を容易にするために、壁６０及び６２を有する直方体構造フレーム４０は、輸送コンテナーとして取り扱うことができることが有利である。フレームは、幅を大きくすることができ、フレームの幅は、少なくとも２．４ｍ、好ましくは２．６ｍ〜４．２ｍ、より好ましくは約３．３ｍ（１１フィート）〜３．５ｍ、最も好ましくは３．４ｍであることがより有利である。
【０１１１】
一実施形態では、フレームの長さは、約６ｍ、６．８ｍ、７．２ｍ、１２ｍ、１４．４ｍ、１８ｍ、又は３６ｍである。一実施形態では、フレームの高さは、高さが約２．９ｍであるＨＱコンテナーのサイズである。一実施形態では、背丈の高いコンテナーは、５．８ｍ（１９フィート）の高さである。一実施形態では、各コンテナーは、約３．１２ｍ又は３．４８ｍの高さである。一実施形態では、背丈の高い各コンテナーは、６．２４ｍ、６．９６ｍ、又は８．７ｍの高さである。
【０１１２】
外壁６０／６２と内壁８０／８２との間の空気腔は、コンテナーの外壁が完全に防水であることを必要としない場合があり、コスト節減のために外壁６０／６２をボルト締め（又はスチールの場合にはスポット溶接）することができることを意味する。さらに、ユニットは、完全に防水であるか否かを調べるために浮上槽に入る必要はない。建物である場合には設計に従って所定のロケーションにおいて外壁６０／６２をオプションとして取り外す柔軟性もあるとともに、再び移送される場合には今後交換する柔軟性もある。上部外部パネル６４は、移送に備えて防水であることが望ましい。
【０１１３】
図１９を参照すると、建物の内壁又は外部クラッドの少なくとも一部を形成する横に並んだパネル対９８０が示されている。各パネル９８０は、装飾的外観を用いて仕上げられたＦＲＰシート、例えば着色された壁を備える。一代替形態では、この仕上げられた外観は、建物に設置されたときに、表面がディスプレイされるように、写真、絵画、アートワーク、又は画像を含むことができる。仕上げは、壁への設置前にパネルに適用される。パネルは、フレーム又は建物の他の構造体にボルト締め又はねじ留めするための穴９８２の形態の固定箇所を有する。代替的に、パネルは、樹脂等の接着剤又はボンディング剤を用いて固定することができる。このパネル９８０は、本発明の上記態様におけるパネル２３８として用いることができる。
【０１１４】
図２０及び図２１を参照すると、建物ユニットは、ＦＲＰシートを含むパネルの形態の外部外板９６０を備える。このパネルは、建物に設置されたときに表面をディスプレイすることができるように、装飾的な外観、例えばれんがパターン、又はこの事例では、単なる例として六角形パターンを有して仕上げられている。パネルは、当該パネルを、コーナー穴９６２を通じてフレーム又は建物の他の構造体にボルト締め若しくはねじ留めすることによって、又は接着によって固定されている。図２０Ａ及び図２１Ａは、外部外板９６０がフレーム４０を覆っている一代替形態を示している。
【０１１５】
一実施形態では、モジュール式ユニットは、構造変更なく建物に組み立てることができるように構成されている。
【０１１６】
建物ユニットは、フレームによって互いが固着することができ、フレームは、荷重を地面／基礎に伝達する。壁パネルは、事実上、フレームを強化し、荷重伝達を援助する。
【０１１７】
図２２を参照すると、代替的なバンク４１４が示されている。本質的には、このバンク４１４は、この実施形態では、当該バンクが、端部間に延伸した２つのモジュール式建物ユニット１６’を備える点を除いて、上記で説明したバンク１４と実質的に同じである。また、この実施形態では、廊下３０が内部サービス進入路３０’に取り替えられている。この進入路は、廊下３０よりも狭くすることができ、アクセスが、部屋３２／３２’内のサービスパネルの上方若しくは下方から又はこのサービスパネルを通ってしか利用可能でないように壁で囲むことができる。ユニット１６’はそれぞれ、フレーム４０の内部にあるベランダ３６用のデッキ、寝室３４、及び浴室３２を備える。ベランダ３６は、建物の外部に対して開放されている。サービス進入路３０は、各ユニット１６’の浴室３２へのサービスアクセスを可能にする。各ユニットは個別の住居である。
【０１１８】
図２４〜図２７は、更なる代替的な実施形態を示している。この実施形態では、バンク１４は、単一のモジュール式建物ユニット１６’’から構成され、これらのユニット１６’’は、図２５に示すように横並びに配置されている。本質的には、このユニット１６’’は、この実施形態では、当該ユニット１６’’がより長いフレーム４０を有し、２つの住居に分割されている点を除いて、上記で説明したバンク１４と実質的に同じである。廊下３０はない。この廊下は、隣接するユニット１６’’の補完的な側面に設定された２部分型の進入路部分３３０及び３３０’から構成された内部サービス進入路３３２に取り替えられている。この形態の進入路は、各背面を、サービス進入路３３２を構成する空間の一部分に寄与させることによって、２ユニットバンクの実施形態において用いることができる（正：can be used）。
【０１１９】
この場合も、ユニット１６’’の各住居は、フレーム４０の内部にあるベランダ３６用のデッキ、寝室３４、及び浴室３２を備え、浴室は互いに隣接し、サービスはサービス進入路３３２を介して提供される。パネル部分３６０、３６２、及び３６４は、ベランダ３６及びサービス進入路部分３３０へのアクセスを可能にするために、パネル６０／６２とともに又は別々に取り外すことができる。
【０１２０】
同じモジュール式建物ユニット内の浴室３２及び居間３４（及びベランダ３６）等の水周り及び「ドライエリア」を１つのモジュール内に有することが可能になる。
【０１２１】
上記実施形態では、モジュール式建物ユニットは、１つのユニットのバンクであるのか又は２つ若しくは３つのユニットのバンクであるのかにかかわらず、建物１０の建設における別のモジュール式建物ユニットへの相互接続に好適な直方体構造フレーム４０を備えることを見て取ることができる。内部構造スタッドフレーム壁８０／８２は、フレーム４０に固定され、モジュール式建物ユニット内の部屋を画定する。外部耐候性パネル６０／６２は、フレーム４０の側面及び／又は端面に取り付けられ、取り外すことができる。サービス進入路３０／３０’／３３２は、フレームの内部にある。このサービス進入路は、移送用に取り外し可能パネル６０／６２によって覆うことができ、取り外し可能パネル６０／６２が取り外されたとき、フレームの外部に対して開放される。
【０１２２】
ベランダ３６／３６’は、フレーム４０の内部にあることに起因して、例えば、シャッターによって、及び／又は部屋３４／３４’への壁が窓ガラスを有することを可能にすることができる屋根を有することによって、天候から保護することができる。
【０１２３】
図２８は、Ｄ１の詳細な水平断面を示している。外部パネル６２とスタッド壁８２との間のエアギャップ１７２が明瞭に示されている。
【０１２４】
図２９は、Ｄ２の詳細な水平断面を示している。ガラス取り付け用の熱遮断フレーム２７２が示されている。
【０１２５】
図３０は、壁セクションが２５０と同じである細部Ｄ３における進入路部分３３０を示している。
【０１２６】
図３０Ａは、柱３３２が外部クラッド２３２の取り付け用に存在し、壁セクションが２３０と同じである図３０の細部の代替形態を示している。
【０１２７】
図３５は、細部Ｄ４からの開口３０２を示している。ベランダが高い位置にあるときに安全バリアを提供するための欄干又は手すり３０４がある。移送中の合板等の一時的なカバー３０８がある。
【０１２８】
図３５は、細部Ｄ４への扉３２０を有する代替的な開口３０２を示している。ベランダが高い位置にあるときに安全バリアを提供するための欄干又は手すり３０４がある。移送中の合板等の一時的なカバー３０８がある。
【０１２９】
図３１は、例えば、部分１０８が屋根構成要素Ｒ２２、Ｒ２６、及びＲ３０に分割されるように、屋根部分１００（及び１００’）を長手方向にどのように３分割することができるのかの一例を示している。屋根の他の形態を用いることもできるし、戸外廊下を設けることもできる。一実施形態では、Ｃ１、Ｃ２、及びＣ３は戸外である。
【０１３０】
概略的表現である図３２は、モジュール式ユニット１６を所定の位置に取り付けたもの２８０又は現場への移送前の最終取り付けの準備ができたもの及び現場への移送用にユニットの内部５６のパッケージされた備え付けを示している。特に、屋根セクションは、現場への移送及びその後の組み立てのためにユニットに収容されている。各モジュール式ユニットは、それ自体の屋根構成要素を収容することが望ましく、この事例では、屋根部分１０８の屋根構成要素Ｒ２２、Ｒ２６、及びＲ３０が例として示されている。
【０１３１】
図３３を参照すると、複数、この例では１２個の異なるタイプのユニットをストックユニットとして利用可能とすることができる。これらのストックユニットは、外壁、内壁、扉を含む付属品、及び例えば、浴室付属品、台所付属品、洗濯室付属品、照明設備、配線、及び配管等の他の付属品を用いて事前に製造される。配線及び配管は、現場で設置することもできるし、他のユニット又は外部への接続の準備をしておくこともできる。ライト、タップ、空調等の付属品は、現場で設置することもできるし、仕上げられた形態にしておくこともできる。これによって、建築家は、建物をモジュール式に設計し、所望のユニットを注文し、それらを現場に輸送し、建物に組み立てることが可能になる。
【０１３２】
図３３において、ユニットのタイプのそれぞれは、例として、以下のものである。
１−カーポート、
２−戸外エリア、
３−居間、
４−台所ベンチを有するダイニングルーム、
５−ベランダを有する勉強部屋又は寝室、
６−ベランダを有する浴室／洗濯室、
７−通路を有する浴室／洗濯室、
８−浴室を有する寝室
９−台所を有する食事室
１０−バーベキューエリアを有する戸外
１１−階段を有する入口ベランダ、並びに
１２−階段入口及び居間／寝室エリア。
【０１３３】
この例では、無地の白色エリアは、コンクリート床を有することができ、縦の直線の陰影は、木材又は同様の床とすることができ、点描エリアは、家具を有する「ドライエリア」床であり、正方形パターンは、高級家具及び付属品の床を有する「水周り」である。
【０１３４】
内部壁及び扉は、離間したパネル又はポリカーボネート断熱パネルを支持する軽量スチールスタッド壁等の標準的なタイプのものとすることができる。扉フレームは、追加の支持垂直スタッドを用いて壁フレームに設置することができる。
【０１３５】
図３４は、モジュール式ユニットが移送用のコンテナーの形態にある場合の組み立てプロセスを示している。モジュール式ユニットは、現場に到着すると、所定の位置での組み立ての準備ができている場合もあるし、この例に示すように、１つ又は複数の外部外板（６０／６２／６４）が取り外される場合もある。壁６０Ａ及び６２Ａは、クラッドの現場取り付けの準備ができている場合がある。幾つかのユニットは、階段吹き抜け又はエレベーターシャフトの場合のように、他のものよりも背丈が高い場合がある。次に、モジュール式ユニットは、並べて又は端部と端部とを接続してバンクにされ、これらのバンクは、幾つかの実施形態ではユニットを積重したものを含む建物に形成される。モジュール式ユニットの内部構造は、移送用にモジュール式ユニットを積重することを可能にし、また、建物の建設においてもモジュール式ユニットを積重することを可能にする。隣接するユニットが、取り外される外板６０及びより大きな開放エリアを作り出す支持部材５２を有するとき、このユニットの他の壁又は周囲のユニットに追加の筋かいを用いて、これらの支持部材又は天井の取り外しを補償することができる。これに加えて又はこれに代えて、コーナーの筋かいを構造強度に用いることができる。
【０１３６】
さらに、保持された（取り外されない）最も近くの隣接する壁に垂直支持体を有することが望ましい。この垂直支持体は、ユニットの構造的完全性を保持するために最も近い交差部４８を介して接続された最も近い垂直支持体である。
【０１３７】
ユニットが移送可能であることは、建物を建設するだけでなく、建物を異なるロケーションに移動させること、又は建物を解体して、モジュール式ユニットを異なる設計の１つ又は複数の他の建物に再利用することにも役立ち得る。
【０１３８】
本発明は、建物が遠隔のロケーションにあり、建物の建設に伴う大きな移送コストがかかる場合、及び／又は現場の建物コストを最小にすることが望ましいので労働コストが大きい場合に特定の利点を有することができる。しかしながら、本発明の用途は、遠隔のロケーションに限定されるものではない。
【０１３９】
本発明に対して、説明したもの及び図面に図示したものの文脈に則して変更を行うことができる。そのような変更は、本明細書において説明した本発明の一部を成すように意図されている。
【図１】
2015525839.tif 000003
【図２Ａ】
2015525839.tif 000004
【図２Ｂ】
2015525839.tif 000005
【図２Ｃ】
2015525839.tif 000006
【図２Ｄ】
2015525839.tif 000007
【図３】
2015525839.tif 000008
【図４】
2015525839.tif 000009
【図５】
2015525839.tif 000010
【図６】
2015525839.tif 000011
【図６Ａ】
2015525839.tif 000012
【図７】
2015525839.tif 000013
【図８】
2015525839.tif 000014
【図９】
2015525839.tif 000015
【図１０】
2015525839.tif 000016
【図１１】
2015525839.tif 000017
【図１２】
2015525839.tif 000018
【図１３】
2015525839.tif 000019
【図１４】
2015525839.tif 000020
【図１５】
2015525839.tif 000021
【図１６】
2015525839.tif 000022
【図１７】
2015525839.tif 000023
【図１８】
2015525839.tif 000024
【図１９】
2015525839.tif 000025
【図２０】
2015525839.tif 000026
【図２０Ａ】
2015525839.tif 000027
【図２１】
2015525839.tif 000028
【図２１Ａ】
2015525839.tif 000029
【図２２】
2015525839.tif 000030
【図２３】
2015525839.tif 000031
【図２４】
2015525839.tif 000032
【図２５】
2015525839.tif 000033
【図２６】
2015525839.tif 000034
【図２７】
2015525839.tif 000035
【図２８】
2015525839.tif 000036
【図２９】
2015525839.tif 000037
【図３０】
2015525839.tif 000038
【図３０Ａ】
2015525839.tif 000039
【図３１】
2015525839.tif 000040
【図３２】
2015525839.tif 000041
【図３３】
2015525839.tif 000042
【図３４】
2015525839.tif 000043
【手続補正書】
【提出日】平成27年5月20日(2015.5.20)
【手続補正１】
【補正対象書類名】特許請求の範囲
【補正対象項目名】全文
【補正方法】変更
【補正の内容】
【特許請求の範囲】
【請求項１】
建物の建設用のモジュール式建物ユニットであって、
前記建物の建設において別のモジュール式建物ユニットへの相互接続に好適な構造フレームと、
なお、該モジュール式建物ユニットは、移送用の輸送コンテナーとして取り扱うのに好適であり、
前記フレームの内部にあるとともに前記フレームに固定されたスタッドフレームパネルと、
を備え、前記フレーム及び前記パネルは、組み合わさって荷重支持を行い、前記スタッドフレームパネルは、前記フレームの隣接する平行な外面から内方に離間している、建物の建設用のモジュール式建物ユニット。
【請求項２】
前記建物ユニットは、前記フレームの内部にあるが、前記フレームの外部に対して開放することができるベランダデッキを備え、該ベランダデッキは、前記フレームの外部から該ベランダデッキを閉鎖することができる暴風耐性シャッターを備え、該ベランダデッキは、隣接する他の建物ユニットの隣接するベランダデッキに接続して該隣接するベランダデッキとの間の通行を可能にすることができる、請求項１に記載のモジュール式建物ユニット。
【請求項３】
前記建物ユニットは、建物内部の垂直に延在するサービス進入路部分の一部分であって、前記フレームの側面又は端面の内部にあり、該建物ユニットの外部に露出し、隣接する他のモジュール式建物ユニットのフレームの内部にある別の建物内部の垂直に延在するサービス進入路部分と連携して、少なくとも該２つの建物内部サービス進入路部分から構成される建物内部のサービス進入路を形成するように構成された、建物内部の垂直に延在するサービス進入路部分の一部分を更に備える、請求項１又は２に記載のモジュール式建物ユニット。
【請求項４】
前記建物ユニットは、前記フレームの各側面及び各端面に取り付けられるとともに前記フレームの前記対応する側面又は端面と一致した耐候性取り外し可能外部パネルを更に備え、前記外部パネルは、所定の位置にあるとき、前記スタッドフレームパネルを覆う、請求項１〜３のいずれか１項に記載のモジュール式建物ユニット。
【請求項５】
前記外部パネルと前記スタッドフレームパネルとの間にエアギャップが設けられている、請求項４に記載のモジュール式建物ユニット。
【請求項６】
建物の建設用のモジュール式建物ユニットであって、
前記建物の建設において別のモジュール式建物ユニットへの相互接続に好適な構造フレームと、
前記フレームの内部にあるが、前記フレームの外部に対して開放することができるベランダデッキと、
を備え、前記ベランダデッキは、前記フレームの外部から該ベランダデッキを閉鎖することができる暴風耐性シャッターを備え、前記ベランダデッキは、隣接する他の建物ユニットの隣接するベランダデッキに接続して該隣接するベランダデッキとの間の通行を可能にすることができる、建物の建設用のモジュール式建物ユニット。
【請求項７】
建物の建設用のモジュール式建物ユニットであって、
前記建物の建設において別のモジュール式建物ユニットへの相互接続に好適な構造フレームと、
建物内部のサービス進入路の一部分であって、前記フレームの側面又は端面の内部にあり、該建物ユニットの外部に露出し、隣接する他のモジュール式建物ユニットのフレームの内部にある別の建物内部の垂直に延在するサービス進入路部分と連携して、少なくとも該２つの建物内部サービス進入路部分から構成される建物内部のサービス進入路を形成するように構成された、建物内部のサービス進入路の一部分と、
を備える、建物の建設用のモジュール式建物ユニット。
【請求項８】
前記建物内部サービス進入路は、移送用の取り外し可能パネルによって覆われ、前記建物内部サービス進入路は、前記取り外し可能パネルが取り外されたときに、前記フレームの外部に対して開放されている、請求項７に記載のモジュール式建物ユニット。
【請求項９】
前記建物内部のサービス進入路は、前記建物モジュールの下からアクセス可能であり、前記建物内部のサービス進入路は、前記モジュール式建物ユニットの両側にわたって延在し、該両側において開放されている、請求項７又は８に記載のモジュール式建物ユニット。
【請求項１０】
建物の建設用のモジュール式建物ユニットであって、
前記建物の建設において別のモジュール式建物ユニットへの相互接続に好適な構造フレームと、
前記フレームの各側面及び各端面に取り付けられるとともに前記フレームの前記対応する側面又は端面と一致した耐候性取り外し可能外部パネルであって、所定の位置にあるとき、スタッドフレームパネルを覆う、耐候性取り外し可能外部パネルと、
を備え、
該モジュール式建物ユニットは、移送用の輸送コンテナーとして取り扱うのに好適である、建物の建設用のモジュール式建物ユニット。
【請求項１１】
前記外部パネルは、荷重支持を前記フレームに提供する、請求項１０に記載のモジュール式建物ユニット。
【請求項１２】
前記建物ユニットは、前記フレームの内部にあるとともに該フレームに固定されたスタッドフレームパネル壁及び天井システムを備え、前記スタッドフレームパネル壁及び天井システムは、前記フレームとは独立した荷重支持システムを提供する、請求項６〜１１のいずれか１項に記載のモジュール式建物ユニット。
【請求項１３】
前記構造フレームは、垂直コーナーポストを備え、前記フレームの内部の構造壁は、前記フレームの前記垂直コーナーポストのうちの１つに隣接して固定された垂直コーナーポストを備える、請求項１〜１２のいずれか１項に記載のモジュール式建物ユニット。
【請求項１４】
前記建物ユニットは、前記フレームの底部にわたって横方向に延在するとともに前記フレームの端部から内方に離間した複数の梁を更に備え、該複数の梁のそれぞれは、地面支持体又は別の建物ユニットへの取り付け用に前記フレームの側面から内方に離間した少なくとも１つの締結具取り付け手段を提供する、請求項１〜１３のいずれか１項に記載のモジュール式建物ユニット。
【請求項１５】
前記建物ユニットは、前記フレームの側面上において、取り外し可能な耐候性外部パネルの下に位置する１つ又は複数の取り外し可能垂直支持体を更に備える、請求項１〜１４のいずれか１項に記載のモジュール式建物ユニット。
【請求項１６】
前記建物ユニットは、前記フレームの上面に取り付けられているが、該上面から内方に離間した構造パネルを更に備える、請求項１〜１５のいずれか１項に記載のモジュール式建物ユニット。
【請求項１７】
前記建物ユニットは２．６ｍ〜３．５ｍの幅である、請求項１〜１６のいずれか１項に記載のモジュール式建物ユニット。
【請求項１８】
前記建物ユニットは６ｍ（２０フィート）の長さである、請求項１〜１７のいずれか１項に記載のモジュール式建物ユニット。
【請求項１９】
前記建物ユニットは約３．５ｍの高さである、請求項１〜１８のいずれか１項に記載のモジュール式建物ユニット。
【請求項２０】
前記建物ユニットは６．４ｍ〜７ｍの高さである、請求項１〜１９のいずれか１項に記載のモジュール式建物ユニット。
【請求項２１】
前記建物ユニットは、該モジュール式建物ユニットが、前記建物の一部として形成されたときに垂直の向きに縦方向に延在するように、長手方向に延在する階段吹き抜けを備える、請求項１〜２０のいずれか１項に記載のモジュール式建物ユニット。
【請求項２２】
前記建物ユニットは、該モジュール式建物ユニットの内部に位置付け可能であるとともに該建物ユニットの上部に配置することができ、該建物ユニットが建物に形成されたときに該建物の屋根の一部を形成する屋根の一部分を備える、請求項１〜２１のいずれか１項に記載のモジュール式建物ユニット。
【請求項２３】
前記構造フレームは、直方体の形状である、請求項１〜２２のいずれか１項に記載のモジュール式建物ユニット。
【請求項２４】
前記フレームは、熱間成形鋼から形成され、コーナー成形部が設けられる、請求項１〜２３のいずれか１項に記載のモジュール式建物ユニット。
【請求項２５】
建物の建設用のモジュール式建物ユニットであって、
該モジュール式建物ユニットは、前記建物の建設において別のモジュール式建物ユニットへの相互接続に好適な構造フレームを備え、該建物ユニットの壁は、
前記フレームと一致し、該フレームに固定された第１の構造パネルと、
第２の構造パネルであって、前記フレームの内部にあり、前記第１の構造パネルに対して平行であるとともに、前記第１の構造パネルと該第２の構造パネルとの間にエアギャップが設けられるように前記第１の構造パネルから離間するように前記フレームに固定された、第２の構造パネルと、
を備え、該モジュール式建物ユニットは移送可能である、建物の建設用のモジュール式建物ユニット。
【請求項２６】
建物の建設用のモジュール式建物ユニットであって、
矩形フレームと、
前記フレームの底部にわたって横方向に延在するとともに前記フレームの端部から内方に離間した複数の梁であって、該複数の梁のそれぞれは、基礎又は別の建物ユニットへの取り付け用に前記フレームの側面から内方に離間した少なくとも１つの締結具取り付け手段を提供する、複数の梁と、
を備える、建物の建設用のモジュール式建物ユニット。
【請求項２７】
複数の同様のモジュール式建物ユニットとともに建物を建設するモジュール式建物ユニットであって、
矩形フレームと、
移送用に側面及び／又は端面に取り付けられた取り外し可能外板と、
前記フレームの側面上において、前記取り外し可能な耐候性外板の下に位置する１つ又は複数の取り外し可能垂直支持体と、
を備える、複数の同様のモジュール式建物ユニットとともに建物を建設するためのモジュール式建物ユニット。
【請求項２８】
建物の建設用のモジュール式建物ユニットであって、
矩形構造フレームと、
前記フレームの上面に取り付けられた外板と、
前記外板の下にある内部断熱天井であって、内部構造側壁に構造的支持を提供する、内部断熱天井と、
を備える、建物の建設用のモジュール式建物ユニット。
【請求項２９】
建物の建設用のモジュール式建物ユニットであって、
矩形構造フレームであって、該フレームの幅は、少なくとも２．６ｍである、矩形構造フレームと、
前記フレームの各面に取り付けられるとともに、前記フレームの外面と実質的に一致する外板と、
前記外板のうちの少なくとも１つの背面にあり、前記フレームの内部に固定された構造壁パネルと、
を備える、建物の建設用のモジュール式建物ユニット。
【請求項３０】
前記フレーム、前記パネル、及び／又は前記外板は、前記建物ユニットを、該建物ユニットの上に他の建物ユニットが積重されるように構成し、前記フレームは、特大の輸送コンテナーとして取り扱うのに好適である、請求項２９に記載のモジュール式建物ユニット。
【請求項３１】
モジュール式建物ユニットであって、建物の建設において別の建物ユニットへの相互接続のための構造フレームと、該フレームの上面に取り付けられるが、該上面から内方に離間した構造パネルとを備える、モジュール式建物ユニット。
【請求項３２】
モジュール式建物ユニットであって、建物の建設において別の建物ユニットへの相互接続のための構造フレームを備え、該フレームは、２．６ｍ〜３．５ｍの幅を有する、モジュール式建物ユニット。
【請求項３３】
モジュール式建物ユニットであって、建物の建設において別の建物ユニットへの相互接続のための構造フレームを備え、該建物ユニットは、約３．５ｍの高さを有する、モジュール式建物ユニット。
【請求項３４】
モジュール式建物ユニットであって、垂直ポストを備える構造フレームと、該フレームの内部にあり、該フレームの前記垂直ポストのうちの１つに隣接して固定されて垂直ポストを備える構造壁とを備える、モジュール式建物ユニット。
【請求項３５】
建物の建設用のモジュール式建物ユニットであって、
前記建物の建設において別のモジュール式建物ユニットへの相互接続に好適な構造フレームであって、幅が少なくとも２．６ｍである、構造フレームと、
前記フレームの内部にあるとともに前記フレームに固定されたスタッドフレームパネルと、
を備える、建物の建設用のモジュール式建物ユニット。
【請求項３６】
前記構造フレームは、垂直コーナーポストを備え、前記スタッドフレームは、前記フレームの前記垂直コーナーポストのうちの１つに隣接して固定された垂直コーナーポストを備える、請求項３５に記載のモジュール式建物ユニット。
【請求項３７】
複数のモジュール式建物ユニットを備える建物であって、各モジュール式建物ユニットは、
矩形フレームと、
基礎又は別の建物ユニットに取り付けるための、前記フレームの底部にわたって前記フレームの端部間に横方向に延在する複数の梁と、
移送用に側面及び／又は端面に取り付けられた取り外し可能な耐候性外板であって、前記フレームに構造的剛性を提供する、取り外し可能な耐候性外板と、
前記フレームの側面上の１つ又は複数の取り外し可能垂直支持体と、
１つ又は複数の対応する面における、前記フレームに固定された内部構造支持体と、
前記フレームの上面に取り付けられた耐候性外板、及び該外板の下にある内部断熱天井と、
を備え、前記フレームの幅は、少なくとも２．６ｍである、複数のモジュール式建物ユニットを備える建物。
【請求項３８】
建物であって、それぞれが請求項１〜３６のいずれか１項に記載のモジュール式建物ユニットである複数のモジュール式建物ユニットを備える、建物。
【請求項３９】
前記建物は、各建物ユニットの長手方向に横に並んだフレーム及び平行な隣接する背中合わせにされた内壁を備える、請求項３８に記載の建物。
【請求項４０】
前記建物は、複数の屋根部分を備える屋根を備え、各屋根部分は、前記屋根の下に位置決めされた前記モジュール式建物ユニットのうちの１つにおいて移送可能である、請求項３８又は３９に記載の建物。
【請求項４１】
建物を建設する方法であって、請求項１〜３６のいずれか１項に記載の複数の建物ユニットを準備することと、前記建物ユニットを互いに隣り合わせて配置することと、前記ユニットを互いに接続して単一の構造体にすることとを含む、建物を建設する方法。
【請求項４２】
前記建物ユニットのうちの少なくとも２つは、端部と端部とを接続して配置される、請求項４１に記載の方法。
【請求項４３】
前記建物ユニットのうちの少なくとも２つは、横並びに配置される、請求項４１又は４２に記載の方法。
【請求項４４】
前記建物ユニットのうちの少なくとも２つは、積重される、請求項４１〜４３のいずれか１項に記載の方法。
【請求項４５】
複数のモジュール式建物ユニットを備える建物であって、各モジュール式建物ユニットは、
矩形フレームと、
地面支持体又は別の建物ユニットに取り付けるための、前記フレームの底部にわたって横方向に延在する複数の梁と、
を備え、前記フレーム又は前記横方向の梁のうちの１つ又は複数は、繊維強化ポリマー（ＦＲＰ）から形成されている、複数のモジュール式建物ユニットを備える建物。
【請求項４６】
建物モジュールであって、前記建物ユニットが建物に形成されるときに前記建物ユニットの上部に配置される屋根部分を備える、建物モジュール。
【請求項４７】
建物に用いられるパネルであって、ＦＲＰシートを構造体に固定するための取り付け箇所を有する該シートを含む、建物に用いられるパネル。
【請求項４８】
前記スタッドパネルフレームは、前記構造フレームの内面に固定されている、請求項１〜２４のいずれか１項に記載のモジュール式建物。
【手続補正２】
【補正対象書類名】明細書
【補正対象項目名】０００８
【補正方法】変更
【補正の内容】
【０００８】
一実施形態では、前記建物ユニットは、前記フレームの内部にあるとともに前記フレームに固定されたスタッドフレームパネルを更に備え、前記フレーム及び前記パネルは、組み合わさって荷重支持を行い、前記スタッドフレームパネルは、前記フレームの隣接する平行な外面から内方に離間している。
【手続補正３】
【補正対象書類名】明細書
【補正対象項目名】０００９
【補正方法】変更
【補正の内容】
【０００９】
一実施形態では、前記構造フレームは、平行六面体の形状であるか又は直方柱の形態である。
【手続補正４】
【補正対象書類名】明細書
【補正対象項目名】００１９
【補正方法】変更
【補正の内容】
【００１９】
一実施形態では、前記建物内で前記ベランダデッキを部屋から仕切る壁は断熱されている。一実施形態では、前記ベランダデッキのエンクロージャは断熱されていない。一実施形態では、該ベランダデッキは、前記フレームの外部から該ベランダデッキを閉鎖することができる暴風耐性シャッターを備え、該ベランダデッキは、隣接する別の建物ユニットの隣接するベランダデッキに接続して該隣接するベランダデッキとの間の通行を可能にすることができる。
【手続補正５】
【補正対象書類名】明細書
【補正対象項目名】００２０
【補正方法】変更
【補正の内容】
【００２０】
一実施形態では、前記建物ユニットは、建物内部の垂直に延在するサービス進入路部分の一部分であって、前記フレームの内部にあり、該建物ユニットの外部に露出し、隣接する他のモジュール式建物ユニットのフレームの内部にある別の建物内部の垂直に延在するサービス進入路部分と連携して、少なくとも該２つの建物内部サービス進入路部分から構成される建物内部のサービス進入路を形成するように構成された、建物内部の垂直に延在するサービス進入路部分の一部分を更に備える。一実施形態では、前記建物内部サービス進入路は、移送用の取り外し可能パネルによって覆われている。一実施形態では、前記建物内部サービス進入路は、前記取り外し可能パネルが取り外されたときに、前記フレームの外部に対して開放されている。
【手続補正６】
【補正対象書類名】明細書
【補正対象項目名】００２１
【補正方法】変更
【補正の内容】
【００２１】
一実施形態では、前記建物内部のサービス進入路は、前記建物モジュールの下からアクセス可能であり、前記建物内部のサービス進入路は、前記モジュール式建物ユニットの両側にわたって延在し、該両側において開放されている。一実施形態では、前記建物ユニットは、前記モジュール式建物ユニットにおいて外部に対して開放することができる建物内部サービス進入路の第１の部分であって、建物内部サービス進入路の補完的な第２の部分を有する別の建物モジュールが前記第１の部分に隣接して配置されたときに、それらが建物内部サービス進入路の組み合わさった部分を画定するように配置された、建物内部サービス進入路の第１の部分を更に備える。
【手続補正７】
【補正対象書類名】明細書
【補正対象項目名】００２３
【補正方法】変更
【補正の内容】
【００２３】
一実施形態では、前記建物ユニットは、前記フレームの各側面及び各端面に取り付けられるとともに前記フレームの前記対応する側面又は端面と一致した耐候性取り外し可能外部パネルであって、所定の位置にあるとき、スタッドフレームパネルを覆う、耐候性取り外し可能外部パネルを更に備える。一実施形態では、前記外部パネルは取り外し可能である。
【手続補正８】
【補正対象書類名】明細書
【補正対象項目名】００２６
【補正方法】変更
【補正の内容】
【００２６】
一実施形態では、前記建物ユニットは、前記フレームの内部にあるとともに該フレームに固定されたスタッドフレームパネル壁及び天井システムを備え、前記スタッドフレームパネル壁及び天井システムは、前記フレームとは独立した荷重支持システムを提供する。一実施形態では、前記構造フレームは、垂直コーナーポストを備え、前記フレームの内部の構造壁は、前記フレームの前記垂直コーナーポストのうちの１つに隣接して固定された垂直コーナーポストを備える。一実施形態では、前記外部パネルは、荷重支持を前記フレームに提供する。
【手続補正９】
【補正対象書類名】明細書
【補正対象項目名】００２７
【補正方法】変更
【補正の内容】
【００２７】
一実施形態では、前記建物ユニットは、前記フレームの底部にわたって横方向に延在するとともに前記フレームの端部から内方に離間した複数の梁を更に備え、該複数の梁のそれぞれは、地面支持体又は別の建物ユニットへの取り付け用に前記フレームの側面から内方に離間した少なくとも１つの締結具取り付け手段を提供する。
【手続補正１０】
【補正対象書類名】明細書
【補正対象項目名】００２９
【補正方法】変更
【補正の内容】
【００２９】
一実施形態では、前記建物ユニットは、前記フレームの側面上において、取り外し可能耐候性外部パネルの下に位置する１つ又は複数の取り外し可能垂直支持体を更に備える。
【手続補正１１】
【補正対象書類名】明細書
【補正対象項目名】００３２
【補正方法】変更
【補正の内容】
【００３２】
一実施形態では、前記建物ユニットは、前記フレームの上面に取り付けられているが、該上面から内方に離間した構造パネルを更に備える。
【手続補正１２】
【補正対象書類名】明細書
【補正対象項目名】００３４
【補正方法】変更
【補正の内容】
【００３４】
一実施形態では、前記建物ユニットは、前記取り外し可能パネルがそれぞれの側面又は端面から取り外されたとき、前記建物における別の建物ユニットへの移動を可能にするための開口を前記側面又は前記端面に更に備える。
【手続補正１３】
【補正対象書類名】明細書
【補正対象項目名】００４２
【補正方法】変更
【補正の内容】
【００４２】
一実施形態では、前記建物ユニットは、該モジュール式建物ユニットが、前記建物の一部として形成されたときに垂直の向きに縦方向に延在するように、長手方向に延在する階段吹き抜けを備える。一実施形態では、前記コンテナーの前記フレームは、複数のそのような建物ユニットから形成される建物の構造要素を形成する。
【手続補正１４】
【補正対象書類名】明細書
【補正対象項目名】００４６
【補正方法】変更
【補正の内容】
【００４６】
一実施形態では、前記建物ユニットは、該モジュール式建物ユニットの内部に位置付け可能であるとともに該建物ユニットの上部に配置することができ、該建物ユニットが建物に形成されたときに該建物の屋根の一部を形成する屋根の一部分を備える。一実施形態では、前記フレームは、熱間成形鋼から形成され、コーナー成形部が設けられる。
【手続補正１５】
【補正対象書類名】明細書
【補正対象項目名】００４９
【補正方法】変更
【補正の内容】
【００４９】
本発明によれば、建物の建設用のモジュール式建物ユニットであって、
該モジュール式建物ユニットは、前記建物の建設において別のモジュール式建物ユニットへの相互接続に好適な構造フレームを備え、該建物ユニットの壁は、
前記フレームと一致し、該フレームに固定された第１の構造パネルと、
第２の構造パネルであって、前記フレームの内部にあり、前記第１の構造パネルに対して平行であるとともに、前記第１の構造パネルと該第２の構造パネルとの間にエアギャップが設けられるように前記第１の構造パネルから離間するように前記フレームに固定された、第２の構造パネルと、
を備え、該モジュール式建物ユニットは移送可能である、建物の建設用のモジュール式建物ユニットが提供される。
【手続補正１６】
【補正対象書類名】明細書
【補正対象項目名】００５１
【補正方法】変更
【補正の内容】
【００５１】
一実施形態では、前記屋根部分は、ＦＲＰから形成されたトラスを備える。
本発明によれば、建物の建設用のモジュール式建物ユニットであって、
矩形フレームと、
前記フレームの底部にわたって横方向に延在するとともに前記フレームの端部から内方に離間した複数の梁であって、該複数の梁のそれぞれは、基礎又は別の建物ユニットへの取り付け用に前記フレームの側面から内方に離間した少なくとも１つの締結具取り付け手段を提供する、複数の梁と、
を備える、建物の建設用のモジュール式建物ユニットが提供される。
本発明によれば、複数の同様のモジュール式建物ユニットとともに建物を建設するためのモジュール式建物ユニットであって、
矩形フレームと、
移送用に側面及び／又は端面に取り付けられた取り外し可能外板と、
前記フレームの側面上において、前記取り外し可能耐候性外板の下に位置する１つ又は複数の取り外し可能垂直支持体と、
を備える、複数の同様のモジュール式建物ユニットとともに建物を建設するためのモジュール式建物ユニットが提供される。
本発明によれば、建物の建設用のモジュール式建物ユニットであって、
矩形構造フレームと、
前記フレームの上面に取り付けられた外板と、
前記外板の下にある内部断熱天井であって、内部構造側壁に構造的支持を提供する、内部断熱天井と、
を備える、建物の建設用のモジュール式建物ユニットが提供される。
本発明によれば、建物の建設用のモジュール式建物ユニットであって、
矩形構造フレームであって、該フレームの幅は、少なくとも２．６ｍである、矩形構造フレームと、
前記フレームの各面に取り付けられる外板と、
前記外板のうちの少なくとも１つの背面にあり、前記フレームの内部に固定された構造壁パネルと、
を備える、建物の建設用のモジュール式建物ユニットが提供される。
本発明によれば、前記フレーム、前記パネル、及び／又は前記外板は、前記建物ユニットを、該建物ユニットの上に他の建物ユニットが積重されるように構成し、前記フレームは、特大の輸送コンテナーとして取り扱うのに好適である、請求項２９に記載のモジュール式建物ユニットが提供される。
本発明によれば、モジュール式建物ユニットであって、建物の建設において別の建物ユニットへの相互接続のための構造フレームと、該フレームの上面に取り付けられるが、該上面から内方に離間した構造パネルとを備える、モジュール式建物ユニットが提供される。
本発明によれば、モジュール式建物ユニットであって、建物の建設において別の建物ユニットへの相互接続のための構造フレームを備え、該フレームは、２．６ｍ〜３．５ｍの幅を有する、モジュール式建物ユニットが提供される。
本発明によれば、モジュール式建物ユニットであって、建物の建設において別の建物ユニットへの相互接続のための構造フレームを備え、該建物ユニットは、約３．５ｍの高さを有する、モジュール式建物ユニットが提供される。
本発明によれば、モジュール式建物ユニットであって、垂直ポストを備える構造フレームと、該フレームの内部にあり、該フレームの前記垂直ポストのうちの１つに隣接して固定されて垂直ポストを備える構造壁とを備える、モジュール式建物ユニットが提供される。
本発明によれば、建物の建設用のモジュール式建物ユニットであって、
前記建物の建設において別のモジュール式建物ユニットへの相互接続に好適な構造フレームであって、幅が少なくとも２．６ｍである、構造フレームと、
前記フレームの内部にあるとともに前記フレームに固定されたスタッドフレームパネルと、
を備える、建物の建設用のモジュール式建物ユニットが提供される。
本発明によれば、前記構造フレームは、垂直コーナーポストを備え、前記スタッドフレームは、前記フレームの前記垂直コーナーポストのうちの１つに隣接して固定された垂直コーナーポストを備える、請求項３５に記載のモジュール式建物ユニットが提供される。
本発明によれば、複数のモジュール式建物ユニットを備える建物であって、各モジュール式建物ユニットは、
矩形フレームと、
基礎又は別の建物ユニットに取り付けるための、前記フレームの底部にわたって前記フレームの端部間に横方向に延在する複数の梁と、
移送用に側面及び／又は端面に取り付けられた取り外し可能耐候性外板であって、前記フレームに構造的剛性を提供する、取り外し可能耐候性外板と、
前記フレームの側面上の１つ又は複数の取り外し可能垂直支持体と、
１つ又は複数の対応する面における、前記フレームに固定された内部構造支持体と、
前記フレームの上面に取り付けられた耐候性外板、及び該外板の下にある内部断熱天井と、
を備え、前記フレームの幅は、少なくとも２．６ｍである、複数のモジュール式建物ユニットを備える建物が提供される。
【手続補正１７】
【補正対象書類名】明細書
【補正対象項目名】００５６
【補正方法】変更
【補正の内容】
【００５６】
一実施形態では、前記建物ユニットのうちの少なくとも２つは、端部と端部とを接続して配置される。一実施形態では、前記建物ユニットのうちの少なくとも２つは、横並びに配置される。
【手続補正１８】
【補正対象書類名】明細書
【補正対象項目名】００５７
【補正方法】変更
【補正の内容】
【００５７】
一実施形態では、前記建物ユニットのうちの少なくとも２つは積重される。
本発明によれば、複数のモジュール式建物ユニットを備える建物であって、各モジュール式建物ユニットは、
矩形フレームと、
地面支持体又は別の建物ユニットに取り付けるための、前記フレームの底部にわたって横方向に延在する複数の梁と、
を備え、前記フレーム又は前記横方向の梁のうちの１つ又は複数は、繊維強化ポリマー（ＦＲＰ）から形成されている、複数のモジュール式建物ユニットを備える建物が提供される。
【手続補正１９】
【補正対象書類名】明細書
【補正対象項目名】００６７
【補正方法】変更
【補正の内容】
【００６７】
バンク１４は、図２Ａ〜図２Ｄにより詳細に示されている。この実施形態では、バンク１４は、ユニット１６Ａを備え、このユニットは、浴室３２及び３２’へのサービス廊下３０及び勝手口を備える。ユニット１６Ａの両側には、ユニット１６Ｂ及び１６Ｃがあり、これらのそれぞれは、寝室３４／３４’及びベランダ又はプライベートバルコニー３６／３６’を備える。開口５６は、部屋３４’から浴室３２’に通じている。一代替形態では、廊下は、入口通路とすることができ、部屋３２及び３２’は入口であり、部屋３６及び３６’は浴室である。
【手続補正２０】
【補正対象書類名】明細書
【補正対象項目名】００７１
【補正方法】変更
【補正の内容】
【００７１】
ユニット１６の内部５７は、建設されたときに建物の内部の一部分となる。フレームの長手方向に配置された端面は、垂直に延在する支持部材４４を有する。一実施形態では、支持部材４４は、スチールから形成されているが、代替的な一実施形態では、ＦＲＰ梁から形成することができる。これらの長手方向のフレーム部材は、それらの間に垂直に延在する取り外し可能な支持体５２を有する。これらの支持体は、ユニットの移送中に用いられ、追加の支持強度を構造体に提供するように好適な位置に保持することができる。しかしながら、これらの支持体５２を取り外して、上部長手方向フレーム部材と底部長手方向フレーム部材との間の空間４６を開放した状態にしておくこともできる。これによって、壁が取り外されて、ユニット１６の内部５７に通じる空間４６が開放された状態にされたとき、建物内のエリアを、壁が取り外されない場合に利用可能なエリアよりも大きくすることが可能になる。フレームの底面は、梁の形態の横向きの支持部材４２を有する。フレームの上面も、横向きの支持部材を有することができる。支持部材４２は、ユニットの床が十分な重さを支持することを可能にし、地面支持／取り付けシステム又はユニット下部のレベルに底部レベルを取り付けるのに用いることもできる。横部材７０は、長手方向の水平底部のフレーム部材４０間に延在し、床８６を支持する。
【手続補正２１】
【補正対象書類名】明細書
【補正対象項目名】００７２
【補正方法】変更
【補正の内容】
【００７２】
移送用に、及び所望の場合には、組み立てられた建物において用いられるために、角柱の面は、図３に見られるように、外側壁６０及び端壁６２を有することができる。１つの実施形態では、図４に見られるように、内側壁８０及び／又は内部横壁８２が、外壁の内部及びフレーム４０の内部に設けられる。内側壁８０及び内部横壁８２をより明瞭に見ることができるように、図４では、外壁６０及び端壁６２は図示されず、フレーム４０は仮想表示されている。
【手続補正２２】
【補正対象書類名】明細書
【補正対象項目名】００７４
【補正方法】変更
【補正の内容】
【００７４】
外壁６０／６２及び／又は内壁８０／８２は、ユニットでの設置前に表面を装飾的な外観で仕上げたＦＲＰシートを含むパネルから形成することができ、そのため、この表面が、ユニットに設置されたときにディスプレイされるにようになっている。そのようなパネルは、本明細書において説明するモジュール式建物ユニット以外の建物における用途を有する。これらのパネルは、フレーム又は建物の他の構造体へのボルト締め又はねじ留め用の穴等の固定する箇所を有する。
【手続補正２３】
【補正対象書類名】明細書
【補正対象項目名】００８２
【補正方法】変更
【補正の内容】
【００８２】
図６を参照すると、基礎（footings）１５０、１５２、及び１５４に載置された建物ユニットの一実施形態が示されている。一代替形態では、スラブを基礎とともに又は基礎の代わりに用いることができる。横梁４２は、建物ユニットの端部の内方にあり、内部の基礎１５０に固定され、外部にある底部取り付け箇所５０は、周囲の基礎１５２に固定され、建物の内部にある底部取り付け箇所５０は、隣接する建物ユニットの取り付け箇所５０’とともに、２つのＣチャネルによって基礎１５２に固定される。一実施形態では、基礎１５０、１５２、及び１５４は、地表面上にあるパイル基礎である。一代替形態では、それらの基礎は、地面又はその下にすることができ、更なる一代替形態では、基礎の代わりに、垂直ポスト又は螺旋杭が存在してもよい。また更なる一代替形態では、基礎の代わりに、図６Ａに示すように、建物ユニットの下への取り付け箇所が存在してもよい。梁４２は、所定の位置にボルト締めされる貫通する単数又は複数の穴を有する好適なフランジ付き表面を有することが望ましい。
【手続補正２４】
【補正対象書類名】図面
【補正対象項目名】図２９
【補正方法】変更
【補正の内容】
【図２９】
2015525839.tif 000044
【手続補正２５】
【補正対象書類名】図面
【補正対象項目名】図３２
【補正方法】変更
【補正の内容】
【図３２】
2015525839.tif 000045
【手続補正２６】
【補正対象書類名】図面
【補正対象項目名】図３５
【補正方法】追加
【補正の内容】
【図３５】
2015525839.tif 000046
【手続補正２７】
【補正対象書類名】図面
【補正対象項目名】図３５Ａ
【補正方法】追加
【補正の内容】
【図３５Ａ】
2015525839.tif 000047
【国際調査報告】
2015525839.tif 000048
2015525839.tif 000049
2015525839.tif 000050
2015525839.tif 000051
2015525839.tif 000052
2015525839.tif 000053